(57)【特許請求の範囲】
【請求項１】
チャネル状態情報ＣＳＩ報告方法であって、
１つのアップリンクサブフレームにおいて報告されるべき１又は複数のＣＳＩ報告を取得する段階であって、前記１又は複数のＣＳＩ報告が、１つのダウンリンクキャリアに対応し、少なくとも２つの物理アップリンク制御チャネルＰＵＣＣＨリソースが、前記ダウンリンクキャリアに対して構成され、前記少なくとも２つのＰＵＣＣＨリソースは、異なるフォーマットを有する、段階と、
前記少なくとも２つのＰＵＣＣＨリソースから第１のフォーマットを有する第１のＰＵＣＣＨリソースを決定する段階であって、前記第１のＰＵＣＣＨリソースは、前記少なくとも２つのＰＵＣＣＨリソースのうちの１つのＰＵＣＣＨリソースであり、
前記第１のフォーマットを有する前記第１のＰＵＣＣＨリソースを使用することにより、前記１又は複数のＣＳＩ報告をネットワークデバイスへと報告する段階と、
を備える方法。
【請求項２】
前記少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
前記少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
前記少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
前記少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む、
請求項１に記載の方法。
【請求項３】
前記少なくとも２つのＰＵＣＣＨリソースから第１のフォーマットを有する第１のＰＵＣＣＨリソースを決定する段階は、
前記１又は複数のＣＳＩ報告の総ビットに従って、前記第１のフォーマットを有する前記第１のＰＵＣＣＨリソースを決定する段階を有する、
請求項１又は２に記載の方法。
【請求項４】
前記少なくとも２つのＰＵＣＣＨリソースは、ＰＵＣＣＨフォーマット２に対応する前記ＰＵＣＣＨリソース及びＰＵＣＣＨフォーマット３に対応する前記ＰＵＣＣＨリソースを含み、
前記１又は複数のＣＳＩ報告の総ビットに従って、前記第１のフォーマットを有する前記第１のＰＵＣＣＨリソースを決定する前記段階は、
前記１又は複数のＣＳＩ報告の前記総ビットが第１の数より大きい場合に、前記第１のフォーマットが前記ＰＵＣＣＨフォーマット３であると決定し、さもなければ、前記第１のフォーマットが前記ＰＵＣＣＨフォーマット２であると決定する段階を含む、
請求項３に記載の方法。
【請求項５】
前記第１のＰＵＣＣＨリソースは、前記１又は複数のＣＳＩ報告が属する前記ダウンリンクキャリアに対応する少なくとも１つの前記第１のフォーマットのＰＵＣＣＨリソースから決定される、
請求項１から４のいずれか１項に記載の方法。
【請求項６】
前記第１のＰＵＣＣＨリソースは、前記１又は複数のＣＳＩ報告を送信可能な最小の容量を有するフォーマットを有する、
請求項１から５のいずれか一項に記載の方法。
【請求項７】
チャネル状態情報ＣＳＩ受信方法であって、
少なくとも２つの物理アップリンク制御チャネルＰＵＣＣＨリソースから、第１のフォーマットを有する第１のＰＵＣＣＨリソースを決定する段階であって、前記少なくとも２つのＰＵＣＣＨリソースは、１つのダウンリンクキャリアに対応し、前記少なくとも２つのＰＵＣＣＨリソースは、異なるフォーマットを有し、前記第１のＰＵＣＣＨリソースは、前記少なくとも２つのＰＵＣＣＨリソースのうちの１つのＰＵＣＣＨリソースである、段階と、
前記第１のフォーマットを有する前記第１のＰＵＣＣＨリソースを使用することにより、１つのアップリンクサブフレームで報告される１又は複数のＣＳＩ報告を、端末から受信する段階と、
を備える方法。
【請求項８】
前記少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
前記少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
前記少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
前記少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む、
請求項７に記載の方法。
【請求項９】
前記少なくとも２つのＰＵＣＣＨリソースから第１のフォーマットを有する第１のＰＵＣＣＨリソースを決定する段階は、
前記１又は複数のＣＳＩ報告の総ビットに従って、前記第１のフォーマットを有する前記第１のＰＵＣＣＨリソースを決定する段階を有する、
請求項７又は８に記載の方法。
【請求項１０】
前記少なくとも２つのＰＵＣＣＨリソースは、ＰＵＣＣＨフォーマット２に対応する前記ＰＵＣＣＨリソース及びＰＵＣＣＨフォーマット３に対応する前記ＰＵＣＣＨリソースを含み、
前記１又は複数のＣＳＩ報告の総ビットに従って、前記第１のフォーマットを有する前記第１のＰＵＣＣＨリソースを決定する段階は、
前記１又は複数のＣＳＩ報告の前記総ビットが第１の数より大きい場合に、前記第１のフォーマットが前記ＰＵＣＣＨフォーマット３であると決定し、さもなければ、前記第１のフォーマットが前記ＰＵＣＣＨフォーマット２であると決定する段階を含む、
請求項９に記載の方法。
【請求項１１】
前記第１のＰＵＣＣＨリソースは、前記１又は複数のＣＳＩ報告が属する前記ダウンリンクキャリアに対応する少なくとも１つの第１フォーマットＰＵＣＣＨリソースから決定される、請求項６から１０のいずれか一項に記載の方法。
【請求項１２】
前記第１のＰＵＣＣＨリソースは、前記１又は複数のＣＳＩ報告を送信可能な最小の容量を有するフォーマットを有する、請求項６から１１のいずれか一項に記載の方法。
【請求項１３】
１つのアップリンクサブフレームにおいて報告されるべき、１又は複数のチャネル状態情報ＣＳＩ報告を取得するように構成される取得モジュールであって、前記１又は複数のＣＳＩ報告は、１つのダウンリンクキャリアに対応し、少なくとも２つの物理アップリンク制御チャネルＰＵＣＣＨリソースが、前記ダウンリンクキャリアに対して構成され、前記少なくとも２つのＰＵＣＣＨリソースは、異なるフォーマットを有する、取得モジュールと、
前記少なくとも２つのＰＵＣＣＨリソースから第１のフォーマットを有する第１のＰＵＣＣＨリソースを決定するように構成される決定モジュールであって、前記第１のＰＵＣＣＨリソースは、前記少なくとも２つのＰＵＣＣＨリソースのうちの１つのＰＵＣＣＨリソースである決定モジュールと、
前記第１のフォーマットを有する前記第１のＰＵＣＣＨリソースを使用することにより、ネットワークデバイスへと前記１又は複数のＣＳＩ報告を報告するように構成される送信モジュールと、
を備えるユーザ機器。
【請求項１４】
前記少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
前記少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
前記少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
前記少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む、
請求項１３に記載のユーザ機器。
【請求項１５】
前記決定モジュールは、前記１又は複数のＣＳＩ報告の総ビットに従って、前記第１のフォーマットを有する前記第１のＰＵＣＣＨリソースを決定するよう構成される、請求項１３又は１４に記載のユーザ機器。
【請求項１６】
前記少なくとも２つのＰＵＣＣＨリソースは、ＰＵＣＣＨフォーマット２に対応する前記ＰＵＣＣＨリソース及びＰＵＣＣＨフォーマット３に対応する前記ＰＵＣＣＨリソースを含み、
前記決定モジュールは、
前記１又は複数のＣＳＩ報告の総ビットが第１の数より大きい場合に、前記報告されるべきＣＳＩに対応する前記ＰＵＣＣＨリソースの前記フォーマットが前記ＰＵＣＣＨフォーマット３であると決定し、前記１又は複数のＣＳＩ報告の前記総ビットが前記第１の数と等しいかより小さい場合に、前記報告されるべきＣＳＩに対応する前記ＰＵＣＣＨリソースの前記フォーマットが前記ＰＵＣＣＨフォーマット２であると決定するよう構成される、
請求項１５に記載のユーザ機器。
【請求項１７】
前記第１のＰＵＣＣＨリソースは、前記１又は複数のＣＳＩ報告が属する前記ダウンリンクキャリアに対応する少なくとも１つの第１のフォーマットのＰＵＣＣＨリソースから決定される、
請求項１３から１６のいずれか一項に記載のユーザ機器。
【請求項１８】
前記第１のＰＵＣＣＨリソースは、前記１又は複数のＣＳＩ報告を送信可能な最小の容量を有するフォーマットを有する、
請求項１３から１７のいずれか一項に記載のユーザ機器。
【請求項１９】
少なくとも２つの物理アップリンク制御チャネルＰＵＣＣＨリソースから第１のフォーマットを有する第１のＰＵＣＣＨリソースを決定するように構成される決定モジュールであって、前記少なくとも２つのＰＵＣＣＨリソースは１つのダウンリンクキャリアに対応し、前記少なくとも２つのＰＵＣＣＨリソースは異なるフォーマットを有し、前記第１のＰＵＣＣＨリソースは、前記少なくとも２つのＰＵＣＣＨリソースのうちの１つのＰＵＣＣＨリソースである、決定モジュールと、
前記第１のフォーマットを有する前記第１のＰＵＣＣＨリソースを使用することにより、１つのアップリンクサブフレームにおいて報告される１又は複数のＣＳＩ報告を端末から受信するように構成される受信モジュールと、
を備えるネットワークデバイス。
【請求項２０】
前記少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
前記少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
前記少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
前記少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む、
請求項１９に記載のネットワークデバイス。
【請求項２１】
前記決定モジュールは、前記１又は複数のＣＳＩ報告の総ビットに従って、前記第１のフォーマットを有する前記第１のＰＵＣＣＨリソースを決定するよう構成される、請求項１９又は２０に記載のネットワークデバイス。
【請求項２２】
前記少なくとも２つのＰＵＣＣＨリソースは、ＰＵＣＣＨフォーマット２に対応する前記ＰＵＣＣＨリソース及びＰＵＣＣＨフォーマット３に対応する前記ＰＵＣＣＨリソースを含み、
前記決定モジュールは、
前記１又は複数のＣＳＩ報告の前記総ビットが第１の数より大きい場合に、ＣＳＩに対応する前記ＰＵＣＣＨリソースの前記フォーマットが前記ＰＵＣＣＨフォーマット３であると決定し、前記１又は複数のＣＳＩ報告の前記総ビットが前記第１の数と等しいか又はそれより小さい場合に、前記ＣＳＩに対応する前記ＰＵＣＣＨリソースの前記フォーマットが前記ＰＵＣＣＨフォーマット２であると決定するように構成される、
請求項２１に記載のネットワークデバイス。
【請求項２３】
前記第１のＰＵＣＣＨリソースは、前記１又は複数のＣＳＩ報告が属する前記ダウンリンクキャリアに対応する少なくとも１つの第１のフォーマットのＰＵＣＣＨリソースから決定される、
請求項１９から２２のいずれか一項に記載のネットワークデバイス。
【請求項２４】
前記第１のＰＵＣＣＨリソースは、前記１又は複数のＣＳＩ報告を送信可能な最小の容量を有するフォーマットを有する、
請求項１９から２３のいずれか一項に記載のネットワークデバイス。
【請求項２５】
プログラムが記録されたコンピュータ可読記憶媒体であって、前記プログラムは、請求項１から１２のいずれか１項に記載の方法を、コンピュータに実行させる、コンピュータ可読記憶媒体。
【請求項２６】
チャネル状態情報ＣＳＩを報告するためのデバイスであって、
プロセッサと、
実行命令を格納するメモリであって、前記プロセッサが前記実行命令を実行する場合、請求項１から６のいずれか一項に記載の方法における段階を前記デバイスが実行することを可能とする、メモリと、
を備える、デバイス。
【請求項２７】
チャネル状態情報ＣＳＩを受信するためのデバイスであって、
プロセッサと、
実行命令を格納するメモリであって、前記プロセッサが前記実行命令を実行する場合、請求項７から１２のいずれか一項に記載の方法における段階を前記デバイスが実行することを可能とするメモリと、
を備えるデバイス。
【発明の詳細な説明】
【技術分野】
【０００１】
本発明は、通信技術分野に関し、詳細には、ＣＳＩ報告方法、ＣＳＩ受信方法、及び装置に関する。
【背景技術】
【０００２】
ＬＴＥシステムのＲＩ（ｒａｎｋ  ｉｎｄｉｃａｔｉｏｎ、ランク指標）、ＣＱＩ（Ｃｈａｎｎｅｌ  Ｑｕａｌｉｔｙ  Ｉｎｄｉｃａｔｏｒ、チャネル品質インジケータ）、及びＰＭＩ（Ｐｒｅ−ｃｏｄｉｎｇ  Ｍａｔｒｉｘ  Ｉｎｄｉｃａｔｉｏｎ、プリコーディングマトリクス指標）のようなチャネル状態情報の暗示的フィードバックをサポートすることに加えて、ＬＴＥ−Ａ（Ｌｏｎｇ  Ｔｅｒｍ  Ｅｖｏｌｕｔｉｏｎ−Ａｄｖａｎｃｅｄ、ロングタームエボリューション−アドバンスト）システムは、総称してＣＳＩ（Ｃｈａｎｎｅｌ  Ｓｔａｔｅ  Ｉｎｆｏｒｍａｔｉｏｎ、チャネル状態情報）フィードバックと称される、チャネルマトリクスフィードバック又はチャネル共分散マトリクスフィードバックのようなチャネル状態情報の直接的フィードバックをさらにサポートしてよい。
【０００３】
既存のＬＴＥ  Ｒ１２（ＬＴＥリリース１２）においては、ＰＵＣＣＨ（Ｐｈｙｓｉｃａｌ  Ｕｐｌｉｎｋ  Ｃｏｎｔｒｏｌ  Ｃｈａｎｎｅｌ、物理アップリンク制御チャネル）フォーマット２のＰＵＣＣＨリソースのみが、ＣＳＩ送信に用いられる。当該フォーマットによってサポートされる最大ビット数は１１である。さらに、３２ＣＡ（Ｃａｒｒｉｅｒ  Ａｇｇｒｅｇａｔｉｏｎ、キャリアアグリゲーション）技術が、ＬＴＥ  Ｒ１３（ＬＴＥリリース１３）システムに導入される。ＬＴＥ  Ｒ１０（ＬＴＥリリース１０）規格に規定されているように、各ダウンリンクキャリアのＣＳＩに対応するパラメータは、別個に構成され、各ダウンリンクキャリアのＣＳＩ及び報告期間を送信するために用いられるＰＵＣＣＨリソースのようなパラメータも、別個に構成される。３２キャリアアグリゲーションのシナリオにおいて、各キャリアに対応するＣＳＩは、別個のＰＵＣＣＨリソースを用いることによって、報告される必要がある。従って、ＣＳＩ報告のために占有されるＰＵＣＣＨリソースのオーバヘッドは、比較的大きい。換言すると、アップリンクシステムのスループットは、減少する。
【発明の概要】
【０００４】
本発明の実施形態は、ＣＳＩ報告中のＰＵＣＣＨリソースのオーバヘッドが比較的大きいという技術的問題を解決するＣＳＩ報告方法、ＣＳＩ受信方法、及び装置を提供する。
【０００５】
本発明の第１の態様は、ＣＳＩ報告方法を提供する。方法は、
アップリンクサブフレームにおいて報告されるべきＣＳＩを取得する段階であって、報告されるべきＣＳＩは、１つ又は複数のダウンリンクキャリアグループに対応し、少なくとも２つのＰＵＣＣＨリソースが、１つのダウンリンクキャリアグループに対して構成され、少なくとも２つのＰＵＣＣＨリソースは、異なるフォーマットを有する、段階と、
報告されるべきＣＳＩに従って、報告されるべきＣＳＩに対応するＰＵＣＣＨリソースのフォーマットが第１のフォーマットであると決定する段階と、
報告されるべきＣＳＩを第１のフォーマットの第１のＰＵＣＣＨリソースに追加し、報告されるべきＣＳＩを報告する段階と、
を含む。
【０００６】
第１の態様に関連して、第１の態様の第１の可能な実装方式において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【０００７】
第１の態様の第１の可能な実装方式に関連して、第１の態様の第２の可能な実装方式において、報告されるべきＣＳＩに従って、報告されるべきＣＳＩに対応するＰＵＣＣＨリソースのフォーマットが第１のフォーマットであると決定する段階は、
報告されるべきＣＳＩに対応するキャリアの数に従って、報告されるべきＣＳＩに対応するＰＵＣＣＨリソースのフォーマットが第１のフォーマットであると決定する段階、又は、
報告されるべきＣＳＩのビット数に従って、報告されるべきＣＳＩに対応するＰＵＣＣＨリソースのフォーマットが第１のフォーマットであると決定する段階
を含む。
【０００８】
第１の態様の第２の可能な実装方式に関連して、第１の態様の第３の可能な実装方式において、少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含み、
報告されるべきＣＳＩに対応するキャリアの数に従って、報告されるべきＣＳＩに対応するＰＵＣＣＨリソースのフォーマットが第１のフォーマットであると決定する段階は、
キャリアの数が第１の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定する段階を含む、又は、
報告されるべきＣＳＩのビット数に従って、報告されるべきＣＳＩに対応するＰＵＣＣＨリソースのフォーマットが第１のフォーマットであると決定する段階は、
ビット数が第３の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定する段階を含む。
【０００９】
第１の態様の第２の可能な実装方式に関連して、第１の態様の第４の可能な実装方式において、少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含み、
報告されるべきＣＳＩに対応するキャリアの数に従って、報告されるべきＣＳＩに対応するＰＵＣＣＨリソースのフォーマットが第１のフォーマットであると決定する段階は、
キャリアの数が第１の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定する段階を含む、又は、
報告されるべきＣＳＩのビット数に従って、報告されるべきＣＳＩに対応するＰＵＣＣＨリソースのフォーマットが第１のフォーマットであると決定する段階は、
ビット数が第３の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定する段階を含む。
【００１０】
第１の態様の第２の可能な実装方式に関連して、第１の態様の第５の可能な実装方式において、少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含み、
報告されるべきＣＳＩに対応するキャリアの数に従って、報告されるべきＣＳＩに対応するＰＵＣＣＨリソースのフォーマットが第１のフォーマットであると決定する段階は、
キャリアの数が第２の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定する段階を含む、又は、
報告されるべきＣＳＩのビット数に従って、報告されるべきＣＳＩに対応するＰＵＣＣＨリソースのフォーマットが第１のフォーマットであると決定する段階は、
ビット数が第４の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定する段階を含む。
【００１１】
第１の態様の第２の可能な実装方式に関連して、第１の態様の第６の可能な実装方式において、少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含み、
報告されるべきＣＳＩに対応するキャリアの数に従って、報告されるべきＣＳＩに対応するＰＵＣＣＨリソースのフォーマットが第１のフォーマットであると決定する段階は、
キャリアの数が第１の数より小さい又はこれと等しい場合に、報告されるべきＣＳＩに対応するＰＵＣＣＨリソースのフォーマットがＰＵＣＣＨフォーマット２であると決定する段階、もしくは、
キャリアの数が第１の数より大きく、第２の数より小さい又はこれと等しい場合に、報告されるべきＣＳＩに対応するＰＵＣＣＨリソースのフォーマットがＰＵＣＣＨフォーマット３であると決定する段階、もしくは、
キャリアの数が第２の数より大きい場合に、報告されるべきＣＳＩに対応するＰＵＣＣＨリソースのフォーマットがＰＵＣＣＨフォーマット４であると決定する段階
を含む、又は、
報告されるべきＣＳＩのビット数に従って、報告されるべきＣＳＩに対応するＰＵＣＣＨリソースのフォーマットが第１のフォーマットであると決定する段階は、
ビット数が第３の数より小さい又はこれと等しい場合に、報告されるべきＣＳＩに対応するＰＵＣＣＨリソースのフォーマットがＰＵＣＣＨフォーマット２であると決定する段階、もしくは、
ビット数が第３の数より大きく、第４の数より小さい又はこれと等しい場合に、報告されるべきＣＳＩに対応するＰＵＣＣＨリソースのフォーマットがＰＵＣＣＨフォーマット３であると決定する段階、もしくは、
ビット数が第４の数より大きい場合に、報告されるべきＣＳＩに対応するＰＵＣＣＨリソースのフォーマットがＰＵＣＣＨフォーマット４であると決定する段階
を含む。
【００１２】
第１の態様又は第１の態様の第１の可能な実装方式から第６の可能な実装方式のいずれか１つに関連して、第１の態様の第７の可能な実装方式において、報告されるべきＣＳＩを第１のフォーマットの第１のＰＵＣＣＨリソースに追加し、報告されるべきＣＳＩを報告する段階は、
報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定する段階と、
報告されるべきＣＳＩを第１のＰＵＣＣＨリソースに追加し、報告されるべきＣＳＩを報告する段階と、
を含む。
【００１３】
第１の態様の第７の可能な実装方式に関連して、第１の態様の第８の可能な実装方式において、報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定する段階は、
ネットワークデバイスによって送信された、受信された情報に従って、少なくとも１つのＰＵＣＣＨリソースから、第１のＰＵＣＣＨリソースを決定する段階、又は、
少なくとも１つのＰＵＣＣＨリソースから、最小番号のＰＵＣＣＨリソースを第１のＰＵＣＣＨリソースとして決定する段階、又は、
少なくとも１つのＰＵＣＣＨリソースから、最大番号のＰＵＣＣＨリソースを第１のＰＵＣＣＨリソースとして決定する段階、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定する段階、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定する段階
を含む。
【００１４】
本発明の第２の態様は、ＣＳＩ受信方法を提供する。方法は、
アップリンクサブフレームにおいてユーザ機器によって報告されるべきＣＳＩを決定する段階であって、ＣＳＩは、１つ又は複数のダウンリンクキャリアグループに対応し、少なくとも２つのＰＵＣＣＨリソースが、１つのダウンリンクキャリアグループに対して構成され、少なくとも２つのＰＵＣＣＨリソースは、異なるフォーマットを有する、段階と、
ＣＳＩに従って、ＣＳＩに対応するＰＵＣＣＨリソースのフォーマットが第１のフォーマットであると決定する段階と、
第１のフォーマットの第１のＰＵＣＣＨリソースにおいて保持されるＣＳＩを受信する段階と、
を含む。
【００１５】
第２の態様に関連して、第２の態様の第１の可能な実装方式において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【００１６】
第２の態様の第１の可能な実装方式に関連して、第２の態様の第２の可能な実装方式において、ＣＳＩに従って、ＣＳＩに対応するＰＵＣＣＨリソースのフォーマットが第１のフォーマットであると決定する段階は、
ＣＳＩに対応するキャリアの数に従って、ＣＳＩに対応するＰＵＣＣＨリソースのフォーマットが第１のフォーマットであると決定する段階、又は、
ＣＳＩのビット数に従って、ＣＳＩに対応するＰＵＣＣＨリソースのフォーマットが第１のフォーマットであると決定する段階
を含む。
【００１７】
第２の態様の第２の可能な実装方式に関連して、第２の態様の第３の可能な実装方式において、少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含み、
ＣＳＩに対応するキャリアの数に従って、ＣＳＩに対応するＰＵＣＣＨリソースのフォーマットが第１のフォーマットであると決定する段階は、
キャリアの数が第１の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定する段階を含む、又は、
ＣＳＩのビット数に従って、ＣＳＩに対応するＰＵＣＣＨリソースのフォーマットが第１のフォーマットであると決定する段階は、
ビット数が第３の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定する段階を含む。
【００１８】
第２の態様の第２の可能な実装方式に関連して、第２の態様の第４の可能な実装方式において、少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含み、
ＣＳＩに対応するキャリアの数に従って、ＣＳＩに対応するＰＵＣＣＨリソースのフォーマットが第１のフォーマットであると決定する段階は、
キャリアの数が第１の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定する段階を含む、又は、
ＣＳＩのビット数に従って、ＣＳＩに対応するＰＵＣＣＨリソースのフォーマットが第１のフォーマットであると決定する段階は、
ビット数が第３の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定する段階を含む。
【００１９】
第２の態様の第２の可能な実装方式に関連して、第２の態様の第５の可能な実装方式において、少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含み、
ＣＳＩに対応するキャリアの数に従って、ＣＳＩに対応するＰＵＣＣＨリソースのフォーマットが第１のフォーマットであると決定する段階は、
キャリアの数が第２の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定する段階を含む、又は、
ＣＳＩのビット数に従って、ＣＳＩに対応するＰＵＣＣＨリソースのフォーマットが第１のフォーマットであると決定する段階は、
ビット数が第４の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定する段階を含む。
【００２０】
第２の態様の第２の可能な実装方式に関連して、第２の態様の第６の可能な実装方式において、少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含み、
ＣＳＩに対応するキャリアの数に従って、ＣＳＩに対応するＰＵＣＣＨリソースのフォーマットが第１のフォーマットであると決定する段階は、
キャリアの数が第１の数より小さい又はこれと等しい場合に、ＣＳＩに対応するＰＵＣＣＨリソースのフォーマットがＰＵＣＣＨフォーマット２であると決定する段階、もしくは、
キャリアの数が第１の数より大きく、第２の数より小さい又はこれと等しい場合に、ＣＳＩに対応するＰＵＣＣＨリソースのフォーマットがＰＵＣＣＨフォーマット３であると決定する段階、もしくは、
キャリアの数が第２の数より大きい場合に、ＣＳＩに対応するＰＵＣＣＨリソースのフォーマットがＰＵＣＣＨフォーマット４であると決定する段階
を含む、又は、
ＣＳＩのビット数に従って、ＣＳＩに対応するＰＵＣＣＨリソースのフォーマットが第１のフォーマットであると決定する段階は、
ビット数が第３の数より小さい又はこれと等しい場合に、ＣＳＩに対応するＰＵＣＣＨリソースのフォーマットがＰＵＣＣＨフォーマット２であると決定する段階、もしくは、
ビット数が第３の数より大きく、第４の数より小さい又はこれと等しい場合に、ＣＳＩに対応するＰＵＣＣＨリソースのフォーマットがＰＵＣＣＨフォーマット３であると決定する段階、もしくは、
ビット数が第４の数より大きい場合に、ＣＳＩに対応するＰＵＣＣＨリソースのフォーマットがＰＵＣＣＨフォーマット４であると決定する段階
を含む。
【００２１】
第２の態様又は第２の態様の第１の可能な実装方式から第６の可能な実装方式のいずれか１つに関連して、第２の態様の第７の可能な実装方式において、第１のフォーマットの第１のＰＵＣＣＨリソースにおいて保持されるＣＳＩを受信する段階の前に、方法は、
ＣＳＩが属する１つ又は複数のダウンリンクキャリアグループの各々に対応する少なくとも１つの第１のフォーマットのＰＵＣＣＨリソースから、第１のＰＵＣＣＨリソースを決定する段階と、
第１のＰＵＣＣＨリソースを用いることによって、ＣＳＩを受信することを決定する段階と、
をさらに含む。
【００２２】
第２の態様の第７の可能な実装方式に関連して、第２の態様の第８の可能な実装方式において、ＣＳＩが属する１つ又は複数のダウンリンクキャリアグループの各々に対応する少なくとも１つの第１のフォーマットのＰＵＣＣＨリソースから、第１のＰＵＣＣＨリソースを決定する段階は、
ネットワークデバイスによって送信された、受信された情報に従って、少なくとも１つのＰＵＣＣＨリソースから、第１のＰＵＣＣＨリソースを決定する段階、又は、
少なくとも１つのＰＵＣＣＨリソースから、最小番号のＰＵＣＣＨリソースを第１のＰＵＣＣＨリソースとして決定する段階、又は、
少なくとも１つのＰＵＣＣＨリソースから、最大番号のＰＵＣＣＨリソースを第１のＰＵＣＣＨリソースとして決定する段階、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定する段階、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定する段階
を含む。
【００２３】
本発明の第３の態様は、ユーザ機器を提供する。ユーザ機器は、
アップリンクサブフレームにおいて報告されるべきＣＳＩを取得するように構成される取得モジュールであって、報告されるべきＣＳＩは、１つ又は複数のダウンリンクキャリアグループに対応し、少なくとも２つのＰＵＣＣＨリソースが、１つのダウンリンクキャリアグループに対して構成され、少なくとも２つのＰＵＣＣＨリソースは、異なるフォーマットを有する、取得モジュールと、
報告されるべきＣＳＩに従って、報告されるべきＣＳＩに対応するＰＵＣＣＨリソースのフォーマットが第１のフォーマットであると決定するように構成される決定モジュールと、
報告されるべきＣＳＩを第１のフォーマットの第１のＰＵＣＣＨリソースに追加し、報告されるべきＣＳＩを報告するように構成される送信モジュールと、
を含む。
【００２４】
第３の態様に関連して、第３の態様の第１の可能な実装方式において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【００２５】
第３の態様の第１の可能な実装方式に関連して、第３の態様の第２の可能な実装方式において、決定モジュールは、具体的には、
報告されるべきＣＳＩに対応するキャリアの数に従って、報告されるべきＣＳＩに対応するＰＵＣＣＨリソースのフォーマットが第１のフォーマットであると決定する、又は、
報告されるべきＣＳＩのビット数に従って、報告されるべきＣＳＩに対応するＰＵＣＣＨリソースのフォーマットが第１のフォーマットであると決定するように構成される。
【００２６】
第３の態様の第２の可能な実装方式に関連して、第３の態様の第３の可能な実装方式において、少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含み、
決定モジュールが、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定することである、又は、
決定モジュールが、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定することである。
【００２７】
第３の態様の第２の可能な実装方式に関連して、第３の態様の第４の可能な実装方式において、少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含み、
決定モジュールが、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定することである、又は、
決定モジュールが、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定することである。
【００２８】
第３の態様の第２の可能な実装方式に関連して、第３の態様の第５の可能な実装方式において、少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含み、
決定モジュールが、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第２の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定することである、又は、
決定モジュールが、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第４の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定することである。
【００２９】
第３の態様の第２の可能な実装方式に関連して、第３の態様の第６の可能な実装方式において、少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含み、
決定モジュールが、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より小さい又はこれと等しい場合に、報告されるべきＣＳＩに対応するＰＵＣＣＨリソースのフォーマットがＰＵＣＣＨフォーマット２であると決定すること、もしくは、
キャリアの数が第１の数より大きく、第２の数より小さい又はこれと等しい場合に、報告されるべきＣＳＩに対応するＰＵＣＣＨリソースのフォーマットがＰＵＣＣＨフォーマット３であると決定すること、もしくは、
キャリアの数が第２の数より大きい場合に、報告されるべきＣＳＩに対応するＰＵＣＣＨリソースのフォーマットがＰＵＣＣＨフォーマット４であると決定することである、又は、
決定モジュールが、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より小さい又はこれと等しい場合に、報告されるべきＣＳＩに対応するＰＵＣＣＨリソースのフォーマットがＰＵＣＣＨフォーマット２であると決定すること、もしくは、
ビット数が第３の数より大きく、第４の数より小さい又はこれと等しい場合に、報告されるべきＣＳＩに対応するＰＵＣＣＨリソースのフォーマットがＰＵＣＣＨフォーマット３であると決定すること、もしくは、
ビット数が第４の数より大きい場合に、報告されるべきＣＳＩに対応するＰＵＣＣＨリソースのフォーマットがＰＵＣＣＨフォーマット４であると決定することである。
【００３０】
第３の態様又は第３の態様の第１の可能な実装方式から第６の可能な実装方式のいずれか１つに関連して、第３の態様の第７の可能な実装方式において、送信モジュールは、具体的には、
報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定し、
報告されるべきＣＳＩを第１のＰＵＣＣＨリソースに追加し、報告されるべきＣＳＩを報告するように構成される。
【００３１】
第３の態様の第７の可能な実装方式に関連して、第３の態様の第８の可能な実装方式において、送信モジュールが、具体的には、報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定するように構成されることは、具体的には、
ネットワークデバイスによって送信された、受信された情報に従って、少なくとも１つのＰＵＣＣＨリソースから、第１のＰＵＣＣＨリソースを決定すること、又は、
少なくとも１つのＰＵＣＣＨリソースから、最小番号のＰＵＣＣＨリソースを第１のＰＵＣＣＨリソースとして決定すること、又は、
少なくとも１つのＰＵＣＣＨリソースから、最大番号のＰＵＣＣＨリソースを第１のＰＵＣＣＨリソースとして決定すること、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定すること、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定することである。
【００３２】
本発明の第４の態様は、ネットワークデバイスを提供する。ネットワークデバイスは、
アップリンクサブフレームにおいてユーザ機器によって報告されるべきチャネル状態情報ＣＳＩを決定するように構成される第１の決定モジュールであって、ＣＳＩは、１つ又は複数のダウンリンクキャリアグループに対応し、少なくとも２つの物理アップリンク制御チャネルＰＵＣＣＨリソースが、１つのダウンリンクキャリアグループに対して構成され、少なくとも２つのＰＵＣＣＨリソースは、異なるフォーマットを有する、第１の決定モジュールと、
ＣＳＩに従って、ＣＳＩに対応するＰＵＣＣＨリソースのフォーマットが第１のフォーマットであると決定するように構成される第２の決定モジュールと、
第１のフォーマットの第１のＰＵＣＣＨリソースにおいて保持されるＣＳＩを受信するように構成される受信モジュールと、
を含む。
【００３３】
第４の態様に関連して、第４の態様の第１の可能な実装方式において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【００３４】
第４の態様の第１の可能な実装方式に関連して、第４の態様の第２の可能な実装方式において、第２の決定モジュールは、具体的には、
ＣＳＩに対応するキャリアの数に従って、ＣＳＩに対応するＰＵＣＣＨリソースのフォーマットが第１のフォーマットであると決定する、又は、
ＣＳＩのビット数に従って、ＣＳＩに対応するＰＵＣＣＨリソースのフォーマットが第１のフォーマットであると決定する
ように構成される。
【００３５】
第４の態様の第２の可能な実装方式に関連して、第４の態様の第３の可能な実装方式において、少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含み、
第２の決定モジュールが、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定することである、又は、
第２の決定モジュールが、具体的には、ＣＳＩのビット数に従って、ＣＳＩに対応するＰＵＣＣＨリソースのフォーマットが第１のフォーマットであると決定するように構成されることは、具体的には、
ビット数が第３の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定することである。
【００３６】
第４の態様の第２の可能な実装方式に関連して、第４の態様の第４の可能な実装方式において、少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含み、
第２の決定モジュールが、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定することである、又は、
第２の決定モジュールが、具体的には、ＣＳＩのビット数に従って、ＣＳＩに対応するＰＵＣＣＨリソースのフォーマットが第１のフォーマットであると決定するように構成されることは、具体的には、
ビット数が第３の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定することである。
【００３７】
第４の態様の第２の可能な実装方式に関連して、第４の態様の第５の可能な実装方式において、少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含み、
第２の決定モジュールが、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第２の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定することである、又は、
第２の決定モジュールが、具体的には、ＣＳＩのビット数に従って、ＣＳＩに対応するＰＵＣＣＨリソースのフォーマットが第１のフォーマットであると決定するように構成されることは、具体的には、
ビット数が第４の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定することである。
【００３８】
第４の態様の第２の可能な実装方式に関連して、第４の態様の第６の可能な実装方式において、少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含み、
第２の決定モジュールが、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より小さい又はこれと等しい場合に、ＣＳＩに対応するＰＵＣＣＨリソースのフォーマットがＰＵＣＣＨフォーマット２であると決定すること、もしくは、
キャリアの数が第１の数より大きく、第２の数より小さい又はこれと等しい場合に、ＣＳＩに対応するＰＵＣＣＨリソースのフォーマットがＰＵＣＣＨフォーマット３であると決定すること、もしくは、
キャリアの数が第２の数より大きい場合に、ＣＳＩに対応するＰＵＣＣＨリソースのフォーマットがＰＵＣＣＨフォーマット４であると決定することである、又は、
第２の決定モジュールが、具体的には、ＣＳＩのビット数に従って、ＣＳＩに対応するＰＵＣＣＨリソースのフォーマットが第１のフォーマットであると決定するように構成されることは、具体的には、
ビット数が第３の数より小さい又はこれと等しい場合に、ＣＳＩに対応するＰＵＣＣＨリソースのフォーマットがＰＵＣＣＨフォーマット２であると決定すること、もしくは、
ビット数が第３の数より大きく、第４の数より小さい又はこれと等しい場合に、ＣＳＩに対応するＰＵＣＣＨリソースのフォーマットがＰＵＣＣＨフォーマット３であると決定すること、もしくは、
ビット数が第４の数より大きい場合に、ＣＳＩに対応するＰＵＣＣＨリソースのフォーマットがＰＵＣＣＨフォーマット４であると決定することである。
【００３９】
第４の態様又は第４の態様の第１の可能な実装方式から第６の可能な実装方式のいずれか１つに関連して、第４の態様の第７の可能な実装方式において、ネットワークデバイスは、第３の決定モジュール及び第４の決定モジュールをさらに含み、
第３の決定モジュールは、受信モジュールが第１のフォーマットの第１のＰＵＣＣＨリソースにおいて保持されるＣＳＩを受信する前に、ＣＳＩが属する１つ又は複数のダウンリンクキャリアグループの各々に対応する少なくとも１つの第１のフォーマットのＰＵＣＣＨリソースから、第１のＰＵＣＣＨリソースを決定するように構成され、
第４の決定モジュールは、第１のＰＵＣＣＨリソースを用いることによって、ＣＳＩを受信することを決定するように構成される。
【００４０】
第４の態様の第７の可能な実装方式に関連して、第４の態様の第８の可能な実装方式において、第３の決定モジュールは、具体的には、
ネットワークデバイスによって送信された、受信された情報に従って、少なくとも１つのＰＵＣＣＨリソースから、第１のＰＵＣＣＨリソースを決定する、又は、
少なくとも１つのＰＵＣＣＨリソースから、最小番号のＰＵＣＣＨリソースを第１のＰＵＣＣＨリソースとして決定する、又は、
少なくとも１つのＰＵＣＣＨリソースから、最大番号のＰＵＣＣＨリソースを第１のＰＵＣＣＨリソースとして決定する、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定する、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定する
ように構成される。
【００４１】
本発明の第５の態様は、同じバスに接続されるメモリ、プロセッサ、及び送受信機を含むユーザ機器を提供する。
メモリは、命令を格納するように構成され、
プロセッサは、
アップリンクサブフレームにおいて報告されるべきＣＳＩであって、報告されるべきＣＳＩは、１つ又は複数のダウンリンクキャリアグループに対応し、少なくとも２つのＰＵＣＣＨリソースが、１つのダウンリンクキャリアグループに対して構成され、少なくとも２つのＰＵＣＣＨリソースは、異なるフォーマットを有する、ＣＳＩを取得すべく、命令を実行し、
報告されるべきＣＳＩに従って、報告されるべきＣＳＩに対応するＰＵＣＣＨリソースのフォーマットが第１のフォーマットであると決定し、
報告されるべきＣＳＩを第１のフォーマットの第１のＰＵＣＣＨリソースに追加し、送受信機を用いることによって、報告されるべきＣＳＩを報告するように構成される。
【００４２】
第５の態様に関連して、第５の態様の第１の可能な実装方式において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【００４３】
第５の態様の第１の可能な実装方式に関連して、第５の態様の第２の可能な実装方式において、プロセッサが、報告されるべきＣＳＩに従って、報告されるべきＣＳＩに対応するＰＵＣＣＨリソースのフォーマットが第１のフォーマットであると決定するように構成されることは、具体的には、
報告されるべきＣＳＩに対応するキャリアの数に従って、報告されるべきＣＳＩに対応するＰＵＣＣＨリソースのフォーマットが第１のフォーマットであると決定すること、又は、
報告されるべきＣＳＩのビット数に従って、報告されるべきＣＳＩに対応するＰＵＣＣＨリソースのフォーマットが第１のフォーマットであると決定することである。
【００４４】
第５の態様の第２の可能な実装方式に関連して、第５の態様の第３の可能な実装方式において、少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含み、
プロセッサが、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定することである、又は、
プロセッサが、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定することである。
【００４５】
第５の態様の第２の可能な実装方式に関連して、第５の態様の第４の可能な実装方式において、少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含み、
プロセッサが、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定することである、又は、
プロセッサが、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定することである。
【００４６】
第５の態様の第２の可能な実装方式に関連して、第５の態様の第５の可能な実装方式において、少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含み、
プロセッサが、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第２の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定することである、又は、
プロセッサが、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第４の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定することである。
【００４７】
第５の態様の第２の可能な実装方式に関連して、第５の態様の第６の可能な実装方式において、少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含み、
プロセッサが、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より小さい又はこれと等しい場合に、報告されるべきＣＳＩに対応するＰＵＣＣＨリソースのフォーマットがＰＵＣＣＨフォーマット２であると決定すること、もしくは、
キャリアの数が第１の数より大きく、第２の数より小さい又はこれと等しい場合に、報告されるべきＣＳＩに対応するＰＵＣＣＨリソースのフォーマットがＰＵＣＣＨフォーマット３であると決定すること、もしくは、
キャリアの数が第２の数より大きい場合に、報告されるべきＣＳＩに対応するＰＵＣＣＨリソースのフォーマットがＰＵＣＣＨフォーマット４であると決定することである、又は、
プロセッサが、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より小さい又はこれと等しい場合に、報告されるべきＣＳＩに対応するＰＵＣＣＨリソースのフォーマットがＰＵＣＣＨフォーマット２であると決定すること、もしくは、
ビット数が第３の数より大きく、第４の数より小さい又はこれと等しい場合に、報告されるべきＣＳＩに対応するＰＵＣＣＨリソースのフォーマットがＰＵＣＣＨフォーマット３であると決定すること、もしくは、
ビット数が第４の数より大きい場合に、報告されるべきＣＳＩに対応するＰＵＣＣＨリソースのフォーマットがＰＵＣＣＨフォーマット４であると決定することである。
【００４８】
第５の態様又は第５の態様の第１の可能な実装方式から第６の可能な実装方式のいずれか１つに関連して、第５の態様の第７の可能な実装方式において、プロセッサが、報告されるべきＣＳＩを第１のフォーマットの第１のＰＵＣＣＨリソースに追加し、送受信機を用いることによって、報告されるべきＣＳＩを報告するように構成されることは、具体的には、
報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定し、
報告されるべきＣＳＩを第１のＰＵＣＣＨリソースに追加し、送受信機を用いることによって、報告されるべきＣＳＩを報告することである。
【００４９】
第５の態様の第７の可能な実装方式に関連して、第５の態様の第８の可能な実装方式において、プロセッサが、具体的には、報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定するように構成されることは、具体的には、
ネットワークデバイスによって送信され、かつ、送受信機によって受信された情報に従って、少なくとも１つのＰＵＣＣＨリソースから、第１のＰＵＣＣＨリソースを決定すること、又は、
少なくとも１つのＰＵＣＣＨリソースから、最小番号のＰＵＣＣＨリソースを第１のＰＵＣＣＨリソースとして決定すること、又は、
少なくとも１つのＰＵＣＣＨリソースから、最大番号のＰＵＣＣＨリソースを第１のＰＵＣＣＨリソースとして決定すること、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定すること、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定することである。
【００５０】
本発明の第６の態様は、同じバスに接続されるメモリ、プロセッサ、及び受信機を含むネットワークデバイスを提供する。
メモリは、命令を格納するように構成され、
プロセッサは、
アップリンクサブフレームにおいてユーザ機器によって報告されるべきＣＳＩであって、ＣＳＩは、１つ又は複数のダウンリンクキャリアグループに対応し、少なくとも２つのＰＵＣＣＨリソースが、１つのダウンリンクキャリアグループに対して構成され、少なくとも２つのＰＵＣＣＨリソースは、異なるフォーマットを有する、ＣＳＩを決定すべく、命令を実行し、
ＣＳＩに従って、ＣＳＩに対応するＰＵＣＣＨリソースのフォーマットが第１のフォーマットであると決定するように構成され、
受信機は、第１のフォーマットの第１のＰＵＣＣＨリソースにおいて保持されるＣＳＩを受信するように構成される。
【００５１】
第６の態様に関連して、第６の態様の第１の可能な実装方式において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【００５２】
第６の態様の第１の可能な実装方式に関連して、第６の態様の第２の可能な実装方式において、プロセッサが、ＣＳＩに従って、ＣＳＩに対応するＰＵＣＣＨリソースのフォーマットが第１のフォーマットであると決定するように構成されることは、具体的には、
ＣＳＩに対応するキャリアの数に従って、ＣＳＩに対応するＰＵＣＣＨリソースのフォーマットが第１のフォーマットであると決定する、又は、
ＣＳＩのビット数に従って、ＣＳＩに対応するＰＵＣＣＨリソースのフォーマットが第１のフォーマットであると決定することである。
【００５３】
第６の態様の第２の可能な実装方式に関連して、第６の態様の第３の可能な実装方式において、少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含み、
プロセッサが、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定することである、又は、
プロセッサが、具体的には、ＣＳＩのビット数に従って、ＣＳＩに対応するＰＵＣＣＨリソースのフォーマットが第１のフォーマットであると決定するように構成されることは、具体的には、
ビット数が第３の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定することである。
【００５４】
第６の態様の第２の可能な実装方式に関連して、第６の態様の第４の可能な実装方式において、少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含み、
プロセッサが、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定することである、又は、
プロセッサが、具体的には、ＣＳＩのビット数に従って、ＣＳＩに対応するＰＵＣＣＨリソースのフォーマットが第１のフォーマットであると決定するように構成されることは、具体的には、
ビット数が第３の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定することである。
【００５５】
第６の態様の第２の可能な実装方式に関連して、第６の態様の第５の可能な実装方式において、少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含み、
プロセッサが、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第２の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定することである、又は、
プロセッサが、具体的には、ＣＳＩのビット数に従って、ＣＳＩに対応するＰＵＣＣＨリソースのフォーマットが第１のフォーマットであると決定するように構成されることは、具体的には、
ビット数が第４の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定することである。
【００５６】
第６の態様の第２の可能な実装方式に関連して、第６の態様の第６の可能な実装方式において、少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含み、
プロセッサが、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より小さい又はこれと等しい場合に、ＣＳＩに対応するＰＵＣＣＨリソースのフォーマットがＰＵＣＣＨフォーマット２であると決定すること、もしくは、
キャリアの数が第１の数より大きく、第２の数より小さい又はこれと等しい場合に、ＣＳＩに対応するＰＵＣＣＨリソースのフォーマットがＰＵＣＣＨフォーマット３であると決定すること、もしくは、
キャリアの数が第２の数より大きい場合に、ＣＳＩに対応するＰＵＣＣＨリソースのフォーマットがＰＵＣＣＨフォーマット４であると決定することである、又は、
プロセッサが、具体的には、ＣＳＩのビット数に従って、ＣＳＩに対応するＰＵＣＣＨリソースのフォーマットが第１のフォーマットであると決定するように構成されることは、具体的には、
ビット数が第３の数より小さい又はこれと等しい場合に、ＣＳＩに対応するＰＵＣＣＨリソースのフォーマットがＰＵＣＣＨフォーマット２であると決定すること、もしくは、
ビット数が第３の数より大きく、第４の数より小さい又はこれと等しい場合に、ＣＳＩに対応するＰＵＣＣＨリソースのフォーマットがＰＵＣＣＨフォーマット３であると決定すること、もしくは、
ビット数が第４の数より大きい場合に、ＣＳＩに対応するＰＵＣＣＨリソースのフォーマットがＰＵＣＣＨフォーマット４であると決定することである。
【００５７】
第６の態様又は第６の態様の第１の可能な実装方式から第６の可能な実装方式のいずれか１つに関連して、第６の態様の第７の可能な実装方式において、プロセッサは、
受信機が第１のフォーマットの第１のＰＵＣＣＨリソースにおいて保持されるＣＳＩを受信する前に、ＣＳＩが属する１つ又は複数のダウンリンクキャリアグループの各々に対応する少なくとも１つの第１のフォーマットのＰＵＣＣＨリソースから、第１のＰＵＣＣＨリソースを決定し、
第１のＰＵＣＣＨリソースを用いることによって、ＣＳＩを受信することを決定する
ようにさらに構成される。
【００５８】
第６の態様の第７の可能な実装方式に関連して、第６の態様の第８の可能な実装方式において、プロセッサが、具体的には、ＣＳＩが属する１つ又は複数のダウンリンクキャリアグループの各々に対応する少なくとも１つの第１のフォーマットのＰＵＣＣＨリソースから、第１のＰＵＣＣＨリソースを決定するように構成されることは、具体的には、
ネットワークデバイスによって送信された、受信された情報に従って、少なくとも１つのＰＵＣＣＨリソースから、第１のＰＵＣＣＨリソースを決定すること、又は、
少なくとも１つのＰＵＣＣＨリソースから、最小番号のＰＵＣＣＨリソースを第１のＰＵＣＣＨリソースとして決定すること、又は、
少なくとも１つのＰＵＣＣＨリソースから、最大番号のＰＵＣＣＨリソースを第１のＰＵＣＣＨリソースとして決定すること、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定すること、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定することである。
【００５９】
本発明の実施形態において、少なくとも２つのＰＵＣＣＨリソースが、各ダウンリンクキャリアグループに対して構成される。１つのアップリンクサブフレームにおいて報告される必要があるＣＳＩが取得されてよく、対応するＰＵＣＣＨリソースのフォーマットは、報告されるべきＣＳＩに従って、決定される。例えば、決定されたフォーマットは、第１のフォーマットと称される。次に、報告されるべきＣＳＩの全てが、第１のフォーマットの第１のＰＵＣＣＨリソースに追加された後で、報告される。従って、本発明の実施形態において、１つのアップリンクサブフレームにおいて報告される必要があるＣＳＩは、１つだけのＰＵＣＣＨリソースを占有することによって報告されてよい。これにより、各ＣＳＩが１つのＰＵＣＣＨリソースを占有する必要がある従来技術の解決手段と比べて、ＰＵＣＣＨリソースのオーバヘッドが大幅に減少し、アップリンクシステムのスループットが改善される。
【００６０】
さらに、従来技術では、異なるキャリアのＣＳＩが１つのアップリンクサブフレームにおいて報告される必要がある場合、１つのＣＳＩのみが報告のために選択され、他の選択されなかったＣＳＩは破棄される。すなわち、いくつかのキャリアに対応するＣＳＩは報告されることができず、基地局は、報告されないＣＳＩに対応するダウンリンクキャリアに対して、有効なダウンリンクデータのスケジューリングを実行することができない。これは、ダウンリンクシステムの性能低下を招く。しかしながら、本発明の実施形態における技術的解決手段が用いられた後で、１つのアップリンクサブフレームにおいて報告される必要があるＣＳＩは、同じＰＵＣＣＨリソースに追加された後で、報告されることができる。これにより、可能な限り、ＣＳＩの破棄を回避し、全てのダウンリンクキャリアの報告される必要があるＣＳＩが報告可能となることを保証し、これにより、基地局は、比較的有効にダウンリンクキャリアをスケジューリングすることができ、これにより、ダウンリンクシステムの性能を改善する。
【図面の簡単な説明】
【００６１】
【図１】本発明の実施形態に係るＣＳＩ報告方法のメインフローチャートである。
【００６２】
【図２】本発明の実施形態に係るＣＳＩ受信方法のメインフローチャートである。
【００６３】
【図３】本発明の実施形態に係るユーザ機器の構造ブロック図である。
【００６４】
【図４】本発明の実施形態に係るネットワークデバイスの構造ブロック図である。
【００６５】
【図５】本発明の実施形態に係るユーザ機器の模式的構造図である。
【００６６】
【図６】本発明の実施形態に係るネットワークデバイスの模式的構造図である。
【発明を実施するための形態】
【００６７】
本発明の実施形態の目的、技術的解決手段、及び利点をより明らかとするために、以下、本発明の実施形態における技術的解決手段を、本発明の実施形態における添付図面に関連して、明確に説明する。説明される実施形態が、本発明の実施形態の全てではなく、一部であることが明らかである。当業者によって、本発明の実施形態に基づいて創造的努力なく取得される全ての他の実施形態は、本発明の保護範囲に属するものとする。
【００６８】
本明細書において説明される技術は、ＬＴＥ−Ａシステム、及びＬＴＥ−Ａの後継である進化型システムにおいて利用可能である。
【００６９】
本発明の実施形態において、ＰＵＣＣＨフォーマット（ｆｏｒｍａｔ）２に対応するＰＵＣＣＨリソースは、概して、１１ビット（ｂｉｔ）をサポートし、ＰＵＣＣＨフォーマット３に対応するＰＵＣＣＨリソースは、概して、２２ビットをサポートする。新たなＰＵＣＣＨフォーマットがＬＴＥ  Ｒ１３に導入される可能性があり、新たなＰＵＣＣＨフォーマットは、本発明の実施形態において、ＰＵＣＣＨフォーマット４と称される。ＰＵＣＣＨフォーマット４に対応するＰＵＣＣＨリソースは、最大で１２８ビット、又はさらに３２０ビットまでサポートすることができる。確実なこととして、他のフォーマットのＰＵＣＣＨリソースが後継のＬＴＥリリースにおいて提案された場合には、本発明の実施形態における方法は、新たなＰＵＣＣＨリソースにも当然適用可能である。当業者であれば、当然、本発明の実施形態における方法を実際にどのように用いるかを認識し、対応するバリエーションを作り出す。
【００７０】
本発明の実施形態において、ＣＳＩは、周期的ＣＳＩ、すなわち、周期的に報告される必要があるＣＳＩである。各ＣＳＩの最大ビット数は、概して、１１である。
【００７１】
ＬＴＥ−Ａシステムにおいて、ｅＮＢ（進化型基地局）は、半静的ＲＲＣ（Ｒａｄｉｏ  Ｒｅｓｏｕｒｃｅ  Ｃｏｎｔｒｏｌ、無線リソース制御）シグナリングを用いることによって、ＣＡ能力を有するＬＴＥ−Ａ  ＵＥ（Ｕｓｅｒ  Ｅｑｕｉｐｍｅｎｔ、ユーザ機器）に対して、スケジューラブルなキャリアセットを構成又は再構成する。概して、ＵＥに対して構成されるキャリアセットは、ＵＥ  ＤＬ  ＣＣセット（Ｕｓｅｒ  Ｅｑｕｉｐｍｅｎｔ  Ｄｏｗｎｌｉｎｋ  ｃｏｍｐｏｎｅｎｔ  ｃａｒｒｉｅｒ  Ｓｅｔ、ユーザ機器ダウンリンクコンポーネントキャリアセット）と称される。ＵＥに対応するＵＥ  ＤＬ  ＣＣセットは、１つ又は複数のダウンリンクキャリアグループを含んでよく、１つのキャリアグループは、１つ又は複数のダウンリンクキャリアを含んでよい。便宜上、ダウンリンクキャリアは、本発明の実施形態において、略してキャリアと称される。
【００７２】
さらに、省電力のために、キャリアのアクティブ化（すなわち、有効化）及び非アクティブ化（すなわち、無効化）メカニズムが、半静的に構成されたＵＥ  ＤＬ  ＣＣセットに基づいて、さらに導入される。ダウンリンク主コンポーネントキャリアを除き、全ての他のコンポーネントキャリアは、サービス要件に従って、アクティブ化又は非アクティブ化されてよい。概して、ダウンリンク主コンポーネントキャリアを除き、ＵＥ  ＤＬ  ＣＣセットにおいて新たに構成された各ダウンリンクコンポーネントキャリアは、デフォルトで非アクティブ化状態にあってよい。ＵＥの現在のサービスレートが増加した場合、ｅＮＢは、ＵＥ  ＤＬ  ＣＣセットにおいてアクティブ化されていない１つ又は複数のキャリアをアクティブ化し、データ送信を実行してよい。ＵＥの現在のサービスレートが減少した場合、ｅＮＢは、ダウンリンク主コンポーネントキャリアを除き、ＵＥ  ＤＬ  ＣＣセットにおける１つ又は複数のアクティブ化されたキャリアを非アクティブ化してよい。
【００７３】
例を用いて説明する。ｅＮＢは、ＵＥの平均サービスボリューム又はＵＥの能力に従って、ＵＥのＵＥ  ＤＬ  ＣＣセットに対して２つのキャリアＣＣ１及びＣＣ２を構成すると仮定する。ＣＣ１は、ＵＥのダウンリンク主コンポーネントキャリアである。ある期間内に、ＵＥのデータ送信レートが増加し、ｅＮＢは、アクティブ化シグナリングをＵＥに送信することによって、非アクティブ化状態にあるＣＣ２を有効化するようＵＥに命令し、これにより、ＣＣ２及びＣＣ１は、並列にデータ送信を実行してよい。次に、ＵＥのデータ送信レートが減少した場合、ｅＮＢは、非アクティブ化シグナリングをＵＥに送信することによって、アクティブ化されたＣＣ２を無効化するようＵＥに命令してよい。
【００７４】
既存のＬＴＥシステムにおいて、キャリアはサービングセル（ｓｅｒｖｉｎｇ  ｃｅｌｌ）と称されることに留意されたい。すなわち、本発明の実施形態におけるキャリアは、サービングセルと称される。
【００７５】
本発明の実施形態は、ネットワークデバイス及びＵＥに関連して説明される。
【００７６】
ネットワークデバイスは、例えば、基地局（例えば、アクセスポイント）であり、具体的には、１つ又は複数のセクタを用いることによって、無線インタフェースを介してアクセスネットワークにおける無線端末との通信を行うデバイスであってよい。基地局は、受信された無線フレームとＩＰパケットとの間で相互変換を実行し、無線端末とアクセスネットワークの残りの部分との間でルータとして機能するように構成されてよい。アクセスネットワークの残りの部分は、インターネットプロトコル（ＩＰ）ネットワークを含んでよい。基地局は、無線インタフェースの属性管理をさらに調整してよい。例えば、基地局は、ＬＴＥ−Ａにおける進化型基地局（ＮｏｄｅＢ、ｅＮＢ、又はｅ−ＮｏｄｅＢ、ｅｖｏｌｖｅｄ  Ｎｏｄｅ  Ｂ）であってよい。これは、本発明に限定されるものではない。
【００７７】
ＵＥは、無線端末又は有線端末であってよい。無線端末は、ユーザに音声及び／又はデータ接続を提供するデバイス、無線接続機能を有するハンドヘルドデバイス、又は無線モデムに接続される他の処理デバイスであってよい。無線端末は、無線アクセスネットワーク（例えば、ＲＡＮ（無線アクセスネットワーク））を介して、１つ又は複数のコアネットワークとの通信を行ってよい。無線端末は、携帯電話（「セルラ」フォンとも称される）のようなモバイル端末、音声及び／又はデータを無線アクセスネットワークと交換するポータブル、ポケットサイズ、ハンドヘルド、コンピュータ組み込み型、又は車載モバイル装置のような、モバイル端末を有するコンピュータであってよい。例えば、無線端末は、ＰＣＳ（Ｐｅｒｓｏｎａｌ  Ｃｏｍｍｕｎｉｃａｔｉｏｎ  Ｓｅｒｖｉｃｅ、パーソナル通信サービス）電話、コードレス電話セット、ＳＩＰ（セッション開始プロトコル）電話、ＷＬＬ（Ｗｉｒｅｌｅｓｓ  Ｌｏｃａｌ  Ｌｏｏｐ、無線ローカルループ）局、又はＰＤＡ（Ｐｅｒｓｏｎａｌ  Ｄｉｇｉｔａｌ  Ａｓｓｉｓｔａｎｔ、パーソナルデジタルアシスタント）のようなデバイスであってよい。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、又はユーザ機器（Ｕｓｅｒ  Ｅｑｕｉｐｍｅｎｔ）とも称される。
【００７８】
さらに、「システム」及び「ネットワーク」という用語は、通常、本明細書において、互換的に用いられてよい。本明細書における「及び／又は」という用語は、複数の関連するオブジェクトを説明するための対応関係のみを説明し、３つの関係が存在し得ることを表す。例えば、Ａ及び／又はＢは、以下の３つの場合、すなわち、Ａのみが存在すること、Ａ及びＢの両方が存在すること、ならびにＢのみが存在することを表してよい。さらに、本明細書における「／」という記号は、概して、別段の定めがない限り、関連するオブジェクト間の「又は」という関係を示す。
【００７９】
以下において、本発明の実施形態は、本明細書の添付図面に関連して、さらに詳細に説明する。
【００８０】
図１を参照すると、本発明の実施形態は、ＣＳＩ報告方法を提供する。方法は、ＵＥに適用可能である。方法の主な手続きが、以下の通り説明される。
【００８１】
段階１０１。アップリンクサブフレームにおいて報告されるべきＣＳＩを取得する。報告されるべきＣＳＩは、１つ又は複数のダウンリンクキャリアグループに対応し、少なくとも２つのＰＵＣＣＨリソースは、１つのダウンリンクキャリアグループに対して構成され、少なくとも２つのＰＵＣＣＨリソースは、異なるフォーマットを有する。
【００８２】
本発明の本実施形態において、ＣＡ能力を有するＵＥは、１つ又は複数のダウンリンクキャリアグループに対応してよい。ＵＥに対応する各ダウンリンクキャリアグループにおいて、どのキャリアに対応するＣＳＩが、同じアップリンクサブフレームにおいて報告される必要があるかが決定されてよい。
【００８３】
例えば、ＵＥが３つのダウンリンクキャリアグループＣＧ１、ＣＧ２、及びＣＧ３に対応する場合、ＣＧ１には、２つのキャリアＣ１及びＣ２が存在する。ＣＧ２には、１つのキャリアＣ３のみが存在する。ＣＧ３には、３つのキャリアＣ４、Ｃ５、及びＣ６が存在する。
【００８４】
例えば、ＵＥは、３つのダウンリンクキャリアグループにおけるＣ１、Ｃ３、及びＣ４のＣＳＩが、同じアップリンクサブフレームにおいて報告される必要があると決定する。これは、ＵＥによって報告されるべきＣＳＩが、複数のダウンリンクキャリアグループに対応することに等しい。
【００８５】
あるいは、例えば、ＵＥは、３つのダウンリンクキャリアグループにおけるＣ１及びＣ４のＣＳＩが、同じアップリンクサブフレームにおいて報告される必要があると決定する。これは、ＵＥによって報告されるべきＣＳＩが、複数のダウンリンクキャリアグループに対応することに等しい。
【００８６】
あるいは、例えば、ＵＥは、３つのダウンリンクキャリアグループにおけるＣ４及びＣ５のＣＳＩが、同じアップリンクサブフレームにおいて報告される必要があると決定する。これは、ＵＥによって報告されるべきＣＳＩが１つのキャリアグループに対応することに等しい。
【００８７】
任意選択的に、本発明の本実施形態において、アップリンクサブフレームにおいて報告されるべきＣＳＩを取得する前に、方法は、
ＵＥに対応する各ダウンリンクキャリアグループに対して、ネットワークデバイスによって構成されるＰＵＣＣＨリソースを受信する段階をさらに含み、ネットワークデバイスは、ＵＥに対応する各ダウンリンクキャリアグループに対して、少なくとも２つのＰＵＣＣＨリソースを構成する。
【００８８】
任意選択的に、本発明の本実施形態において、ＵＥの各ダウンリンクキャリアグループに対して、ネットワークデバイスによって構成される少なくとも２つのＰＵＣＣＨリソースにおいて、各ＰＵＣＣＨリソースの容量は、特定の容量より大きい又はこれと等しくてよい。特定の容量は、例えば、１１ビットであってよく、確実なこととして、他の値であってよい。
【００８９】
任意選択的に、本発明の本実施形態において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【００９０】
本発明の本実施形態において、方法は、
ネットワークデバイスによって送信されたアクティブ化命令又は非アクティブ化命令を受信する段階と、
アクティブ化命令が受信された場合に、アクティブ化命令に従って、ＵＥのダウンリンクキャリアグループにおける対応するキャリアをアクティブ化する段階、又は、
非アクティブ化命令が受信された場合に、非アクティブ化命令に従って、ＵＥのダウンリンクキャリアグループにおける対応するキャリアを無効化する段階と、
をさらに含んでよい。
【００９１】
本発明の本実施形態において、ネットワークデバイスは、アクティブ化命令又は非アクティブ化命令をＵＥに送信し、ネットワークデバイスは、ＵＥのダウンリンクキャリアグループに対して、ＰＵＣＣＨリソースを構成する。ネットワークデバイスによってアクティブ化命令又は非アクティブ化命令をＵＥに送信する段階と、ネットワークデバイスによってＵＥのダウンリンクキャリアグループに対してＰＵＣＣＨリソースを構成する段階との間の実装順序は、ランダムであってよい。
【００９２】
確実なこととして、アクティブ化された状態のキャリアのみが、ＣＳＩを報告するために用いられてよく、無効化状態のキャリアは、ＣＳＩを報告するために用いられる必要はない。すなわち、ＵＥによって取得された報告されるべきＣＳＩに対応する全てのキャリアは、アクティブ化された状態にある。
【００９３】
段階１０２。報告されるべきＣＳＩに従って、報告されるべきＣＳＩに対応するＰＵＣＣＨリソースのフォーマットが第１のフォーマットであると決定する。
【００９４】
具体的には、報告されるべきＣＳＩに対応するＰＵＣＣＨリソースのフォーマットは、報告されるべきＣＳＩに対応する特定のパラメータの値に従って、決定されてよい。例えば、決定されたフォーマットは、第１のフォーマットと称される。
【００９５】
具体的には、ＣＳＩに対応する特定のパラメータの値と、ＰＵＣＣＨリソースのフォーマットとの間の対応は、ＵＥに予め格納されていてよい。ＣＳＩに対応する特定のパラメータは、ＣＳＩに対応するキャリアの数、ＣＳＩに対応するビット数等であってよい。これは、本発明に限定されるものではない。当業者であれば、当然のこととして、ＣＳＩに対応する特定のパラメータが変化する場合、当該対応が対応するバリエーションを有してよいことを認識する。
【００９６】
任意選択的に、ＣＳＩに対応する特定のパラメータが変化する場合、ＵＥは、報告されるべきＣＳＩに対応するＰＵＣＣＨリソースのフォーマットを異なる方式で決定する。説明は、以下の通り、別個に提供される。
【００９７】
１．ＣＳＩに対応する特定のパラメータは、ＣＳＩに対応するキャリアの数を指す。
【００９８】
任意選択的に、本発明の本実施形態において、報告されるべきＣＳＩに従って、報告されるべきＣＳＩに対応するＰＵＣＣＨリソースのフォーマットが第１のフォーマットであると決定する段階は、
報告されるべきＣＳＩに対応するキャリアの数に従って、報告されるべきＣＳＩに対応するＰＵＣＣＨリソースのフォーマットが第１のフォーマットであると決定する段階
を含む。
【００９９】
具体的には、ＣＳＩに対応する特定のパラメータがＣＳＩに対応するキャリアの数を指す場合、ＣＳＩに対応する特定のパラメータの値とＰＵＣＣＨリソースのフォーマットとの間の対応は、ＣＳＩに対応するキャリアの数の範囲とＰＵＣＣＨリソースのフォーマットとの間の対応であってよい。
【０１００】
任意選択的に、少なくとも２つのＰＵＣＣＨリソースがＰＵＣＣＨフォーマット２に対応するＰＵＣＣＨリソース及びＰＵＣＣＨフォーマット３に対応するＰＵＣＣＨリソースを含む場合、報告されるべきＣＳＩに対応するキャリアの数に従って、報告されるべきＣＳＩに対応するＰＵＣＣＨリソースのフォーマットが第１のフォーマットであると決定する段階は、
キャリアの数が第１の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定する段階
を含む。
【０１０１】
本発明の本実施形態において、例えば、第１の数は１である。ＰＵＣＣＨフォーマット２に対応するＰＵＣＣＨリソースの容量は、１１ビットであり、ＰＵＣＣＨフォーマット３に対応するＰＵＣＣＨリソースの容量は、２２ビットであり、１つのＣＳＩは、概して、１１ビットを占有する。従って、報告されるべきＣＳＩに対応するキャリアの合計数が１より大きい場合、これは、報告されるべきＣＳＩの数が１より大きい（概して、１つのキャリアが１つのＣＳＩに対応する）ことを示す。ＰＵＣＣＨフォーマット２に対応するＰＵＣＣＨリソースは、報告されるべきＣＳＩの全てを送信するために用いられることができないことは明らかである。従って、この場合、報告される必要があるＣＳＩの全てを同じアップリンクサブフレームにおいて送信可能であることを可能な限り保証すべく、ＰＵＣＣＨフォーマット３に対応するＰＵＣＣＨリソースが、報告されるべきＣＳＩを送信するために選択されてよい。あるいは、報告されるべきＣＳＩに対応するキャリアの合計数が１より小さい又はこれと等しい場合、ＰＵＣＣＨフォーマット２に対応するＰＵＣＣＨリソースが、全ての取得されたＣＳＩを送信するために用いられることができる。この場合、ＰＵＣＣＨフォーマット３に対応するより大容量のＰＵＣＣＨリソースを選択する必要がなく、これにより、可能な限り、ネットワークリソースを節約することができる。
【０１０２】
本発明の本実施形態において、少なくとも２つのＰＵＣＣＨリソースが、各ダウンリンクキャリアグループに対して構成される。例えば、ＰＵＣＣＨフォーマット２のＰＵＣＣＨリソース及びＰＵＣＣＨフォーマット３のＰＵＣＣＨリソースが、各ダウンリンクキャリアグループに対して構成される。異なるダウンリンクキャリアグループに対して構成されるＰＵＣＣＨフォーマット２のＰＵＣＣＨリソースは、同じ又は異なっていてよい。同様に、異なるダウンリンクキャリアグループに対して構成されるＰＵＣＣＨフォーマット３のＰＵＣＣＨリソースは、同じ又は異なっていてよい。例えば、Ｋ個のアクティブ化されたキャリアのＣＳＩが、アップリンクサブフレームｎにおいて報告される必要があり、Ｋ個のＣＳＩは、Ｋ個のダウンリンクキャリアグループに対応すると決定される。そこで、Ｋ個のＰＵＣＣＨフォーマット２のＰＵＣＣＨリソースが、選択のために利用可能であってよい。すなわち、ＵＥは、Ｋ個のＣＳＩを送信すべく、Ｋ個のＰＵＣＣＨフォーマット２のＰＵＣＣＨリソースから、１つのＰＵＣＣＨリソースを決定する必要がある。
【０１０３】
ＰＵＣＣＨリソースを決定する場合、ＵＥは、異なる選択による方法に従ってよい。
【０１０４】
例えば、ＵＥは、その最小番号のＰＵＣＣＨリソース、その最大番号のＰＵＣＣＨリソース、Ｋ個のＣＳＩに対応するＫ個のアクティブ化されたキャリアにおける最小番号のキャリアに対応するＰＵＣＣＨリソース、又はＫ個のＣＳＩに対応するＫ個のアクティブ化されたキャリアにおける最大番号のキャリアに対応するＰＵＣＣＨリソースを決定してよい。あるいは、基地局は、具体的には、どのＰＵＣＣＨリソースが第１のＰＵＣＣＨリソースとして用いられるかを決定するようＵＥに命令するための情報を、ＵＥに送信してよく、又は、ＵＥは、プロトコル又は規格における規定に従って、第１のＰＵＣＣＨリソースを決定してよい。
【０１０５】
あるいは、ＵＥは、デフォルトモードで、例えば、デフォルト設定モードで、ＰＵＣＣＨリソースを選択してよい。ＰＵＣＣＨフォーマット３又はＰＵＣＣＨフォーマット４に対応するＰＵＣＣＨリソースが選択される必要がある場合、ダウンリンク主コンポーネントキャリアに対応するＰＵＣＣＨフォーマット３のＰＵＣＣＨリソース又はＰＵＣＣＨフォーマット４のＰＵＣＣＨリソースが、報告されるべきＣＳＩを送信するためのＰＵＣＣＨリソースとして用いられることが決定される。ＰＵＣＣＨフォーマット２に対応するＰＵＣＣＨリソースが決定される必要がある場合、報告される必要があるＣＳＩに対応するダウンリンクキャリアグループのＰＵＣＣＨフォーマット２のＰＵＣＣＨリソースが決定される。本発明の本実施形態において、Ｋ（上述されたように、Ｋ＝１が例として用いられる）個のＣＳＩに対応するダウンリンクキャリアグループのＰＵＣＣＨフォーマット２のＰＵＣＣＨリソースが、Ｋ個のＣＳＩを送信するために、直接的に決定される。
【０１０６】
どのようにＰＵＣＣＨリソースが決定されるかに関わらず、最良の方式は、ＰＵＣＣＨリソースが、規格における規定に従って決定されること、又は、基地局とＵＥとの間のネゴシエーションによって、予め決定されることである。このように、基地局は、どのＰＵＣＣＨリソースが、周期的ＣＳＩを送信するために、ＵＥによって具体的に選択されたかを認識し、これにより、基地局が複数のＰＵＣＣＨリソースにおいてブラインド検出を実行することを、可能な限り防止してもよい。
【０１０７】
任意選択的に、本発明の本実施形態において、少なくとも２つのＰＵＣＣＨリソースがＰＵＣＣＨフォーマット２に対応するＰＵＣＣＨリソース及びＰＵＣＣＨフォーマット４に対応するＰＵＣＣＨリソースを含む場合、報告されるべきＣＳＩに対応するキャリアの数に従って、報告されるべきＣＳＩに対応するＰＵＣＣＨリソースのフォーマットが第１のフォーマットであると決定する段階は、
キャリアの数が第１の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定する段階
を含む。
【０１０８】
本発明の本実施形態において、例えば、第１の数は１である。ＰＵＣＣＨフォーマット２に対応するＰＵＣＣＨリソースの容量は、１１ビットであり、ＰＵＣＣＨフォーマット４に対応するＰＵＣＣＨリソースの容量は、１２８ビット、又はさらに最大で３２０ビットであり、１つのＣＳＩは、概して、１１ビットを占有する。従って、報告されるべきＣＳＩに対応するキャリアの合計数が１より大きい場合、これは、報告されるべきＣＳＩの数が１より大きい（概して、１つのキャリアが１つのＣＳＩに対応する）ことを示す。ＰＵＣＣＨフォーマット２に対応するＰＵＣＣＨリソースは、報告されるべきＣＳＩの全てを送信するために用いられることができないことは明らかである。従って、この場合、報告される必要があるＣＳＩの全てを１つのアップリンクサブフレームにおいて送信可能であることを可能な限り保証すべく、ＰＵＣＣＨフォーマット４に対応するＰＵＣＣＨリソースが、報告されるべきＣＳＩを送信するために選択されてよい。あるいは、報告されるべきＣＳＩに対応するキャリアの合計数が１より小さい又はこれと等しい場合、ＰＵＣＣＨフォーマット２に対応するＰＵＣＣＨリソースが、報告されるべきＣＳＩの全てを送信するために用いられることができる。この場合、ＰＵＣＣＨフォーマット４に対応するより大容量のＰＵＣＣＨリソースを選択する必要がなく、これにより、可能な限り、ネットワークリソースを節約することができる。
【０１０９】
同様に、本発明の本実施形態において、例えば、ＰＵＣＣＨフォーマット２のＰＵＣＣＨリソース及びＰＵＣＣＨフォーマット４のＰＵＣＣＨリソースが、各ダウンリンクキャリアグループに対して構成される。異なるダウンリンクキャリアグループに対して構成されるＰＵＣＣＨフォーマット２のＰＵＣＣＨリソースは、同じ又は異なっていてよい。同様に、異なるダウンリンクキャリアグループに対して構成されるＰＵＣＣＨフォーマット４のＰＵＣＣＨリソースは、同じ又は異なっていてよい。例えば、Ｋ個のアクティブ化されたキャリアのＣＳＩが、アップリンクサブフレームｎにおいて報告される必要があり、Ｋ個のＣＳＩは、Ｋ個のダウンリンクキャリアグループに対応すると決定される。そこで、Ｋ個のＰＵＣＣＨフォーマット４のＰＵＣＣＨリソースが、選択のために利用可能であってよい。すなわち、ＵＥは、Ｋ個のＣＳＩを送信すべく、Ｋ個のＰＵＣＣＨフォーマット４のＰＵＣＣＨリソースから、１つのＰＵＣＣＨリソースを決定する必要がある。ＵＥの具体的な決定方式については、前述の説明（すなわち、ＵＥが、Ｋ個のダウンリンクキャリアグループに対応するＫ個のＰＵＣＣＨフォーマット２のＰＵＣＣＨリソースから、どのように１つのＰＵＣＣＨリソースを決定するかについての説明）を参照されたい。詳細は、本明細書においてさらには説明されない。
【０１１０】
任意選択的に、本発明の本実施形態において、少なくとも２つのＰＵＣＣＨリソースがＰＵＣＣＨフォーマット３に対応するＰＵＣＣＨリソース及びＰＵＣＣＨフォーマット４に対応するＰＵＣＣＨリソースを含む場合、報告されるべきＣＳＩに対応するキャリアの数に従って、報告されるべきＣＳＩに対応するＰＵＣＣＨリソースのフォーマットが第１のフォーマットであると決定する段階は、
キャリアの数が第２の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定する段階
を含む。
【０１１１】
本発明の本実施形態において、例えば、第２の数は２である。ＰＵＣＣＨフォーマット３に対応するＰＵＣＣＨリソースの容量は、２２ビットであり、ＰＵＣＣＨフォーマット４に対応するＰＵＣＣＨリソースの容量は、１２８ビット、又はさらに最大で３２０ビットであり、１つのＣＳＩは、概して、１１ビットを占有する。従って、報告されるべきＣＳＩに対応するキャリアの合計数が２より大きい場合、これは、報告されるべきＣＳＩの数が２より大きいことを示す。ＰＵＣＣＨフォーマット３に対応するＰＵＣＣＨリソースは、報告されるべきＣＳＩの全てを送信するために用いられることができないことは明らかである。従って、この場合、報告される必要があるＣＳＩの全てを１つのアップリンクサブフレームにおいて送信可能であることを可能な限り保証すべく、ＰＵＣＣＨフォーマット４に対応するＰＵＣＣＨリソースが、報告されるべきＣＳＩを送信するために選択されてよい。あるいは、報告されるべきＣＳＩに対応するキャリアの合計数が２より小さい又はこれと等しい場合、ＰＵＣＣＨフォーマット３に対応するＰＵＣＣＨリソースが、報告されるべきＣＳＩの全てを送信するために用いられることができる。この場合、ＰＵＣＣＨフォーマット４に対応するより大容量のＰＵＣＣＨリソースを選択する必要がなく、これにより、可能な限り、ネットワークリソースを節約することができる。
【０１１２】
同様に、本発明の本実施形態において、例えば、ＰＵＣＣＨフォーマット３のＰＵＣＣＨリソース及びＰＵＣＣＨフォーマット４のＰＵＣＣＨリソースが、各ダウンリンクキャリアグループに対して構成される。異なるダウンリンクキャリアグループに対して構成されるＰＵＣＣＨフォーマット３のＰＵＣＣＨリソースは、同じ又は異なっていてよい。同様に、異なるダウンリンクキャリアグループに対して構成されるＰＵＣＣＨフォーマット４のＰＵＣＣＨリソースは、同じ又は異なっていてよい。例えば、Ｋ個のアクティブ化されたキャリアのＣＳＩが、アップリンクサブフレームｎにおいて報告される必要があり、Ｋ個のＣＳＩは、Ｋ個のダウンリンクキャリアグループに対応すると決定される。そこで、Ｋ個のＰＵＣＣＨフォーマット３のＰＵＣＣＨリソースが、選択のために利用可能であってよい。すなわち、ＵＥは、Ｋ個のＣＳＩを送信すべく、Ｋ個のＰＵＣＣＨフォーマット３のＰＵＣＣＨリソースから、１つのＰＵＣＣＨリソースを決定する必要がある。ＵＥの具体的な決定方式については、前述の説明（すなわち、ＵＥが、Ｋ個のダウンリンクキャリアグループに対応するＫ個のＰＵＣＣＨフォーマット２のＰＵＣＣＨリソースから、どのように１つのＰＵＣＣＨリソースを決定するかについての前述の説明）を参照されたい。詳細は、本明細書においてさらには説明されない。
【０１１３】
任意選択的に、本発明の本実施形態において、少なくとも２つのＰＵＣＣＨリソースがＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む場合、報告されるべきＣＳＩのキャリアの数に従って、ＣＳＩに対応するＰＵＣＣＨリソースのフォーマットが第１のフォーマットであると決定する段階は、
キャリアの数が第１の数より小さい又はこれと等しい場合に、報告されるべきＣＳＩに対応するＰＵＣＣＨリソースのフォーマットがＰＵＣＣＨフォーマット２であると決定する段階、又は、
キャリアの数が第１の数より大きく、第２の数より小さい又はこれと等しい場合に、報告されるべきＣＳＩに対応するＰＵＣＣＨリソースのフォーマットがＰＵＣＣＨフォーマット３であると決定する段階、又は、
キャリアの数が第２の数より大きい場合に、報告されるべきＣＳＩに対応するＰＵＣＣＨリソースのフォーマットがＰＵＣＣＨフォーマット４であると決定する段階
を含む。
【０１１４】
本発明の本実施形態において、例えば、第１の数は１であり、第２の数は２である。ＰＵＣＣＨフォーマット２に対応するＰＵＣＣＨリソースの容量は、１１ビットであり、ＰＵＣＣＨフォーマット３に対応するＰＵＣＣＨリソースの容量は、２２ビットであり、ＰＵＣＣＨフォーマット４に対応するＰＵＣＣＨリソースの容量は、１２８ビット、又はさらに最大で３２０ビットであり、１つのＣＳＩは、概して、１１ビットを占有する。従って、報告されるべきＣＳＩに対応するキャリアの合計数が１より小さい又はこれと等しい場合（確実なこととして、キャリアの数は、小数ではない。数が１より小さい又はこれと等しい場合、数は１である場合のみである。数が０である場合、これは、報告されるべきＣＳＩがなく、後続の手続きが実行されないことを示す。従って、数が０である場合は、本発明の本実施形態において説明されない）、これは、報告されるべきＣＳＩの数が１より小さい又はこれと等しいことを示す。この場合、ＰＵＣＣＨフォーマット２に対応するＰＵＣＣＨリソースが、他のより大容量のＰＵＣＣＨリソースを浪費することなく、報告されるべきＣＳＩを送信するために用いられることができる。これにより、ネットワークリソースが節約される。報告されるべきＣＳＩに対応するキャリアの合計数が１より大きく、２より小さい及びこれと等しい場合（同様に、数は小数ではないので、これは、この場合、数が２であることを示す）、これは、報告されるべきＣＳＩの数が１より大きく、２より小さい及びこれと等しいことを示す。この場合、ＰＵＣＣＨフォーマット３に対応するＰＵＣＣＨリソースが、他のより大容量のＰＵＣＣＨリソースを浪費することなく、報告されるべきＣＳＩを送信するために用いられることができる。これにより、ネットワークリソースが節約される。報告されるべきＣＳＩに対応するキャリアの合計数が２より大きい場合、これは、報告されるべきＣＳＩの数が２より大きいことを示す。ＰＵＣＣＨフォーマット２に対応するＰＵＣＣＨリソース、又はＰＵＣＣＨフォーマット３に対応するＰＵＣＣＨリソースのいずれも、報告されるべきＣＳＩの全てを送信するために用いられることができないことは明らかである。従って、この場合、報告される必要があるＣＳＩの全てを１つのアップリンクサブフレームにおいて送信可能であることを可能な限り保証すべく、ＰＵＣＣＨフォーマット４に対応するＰＵＣＣＨリソースが、報告されるべきＣＳＩを送信するために選択されてよい。
【０１１５】
本発明の本実施形態において、１つのアップリンクサブフレームにおいて報告される必要があるＣＳＩが、１つのＰＵＣＣＨリソースを用いることによって、送信可能であることが認識されよう。これにより、ＰＵＣＣＨリソースが節約され、送信される必要があるＣＳＩが送信中に破棄されることを回避し、可能な限り、全てのダウンリンクキャリアのＣＳＩが基地局に送信可能であることを保証し、これにより、基地局は、ダウンリンクキャリアを比較的有効にスケジューリングすることができる。さらに、少なくとも２つのＰＵＣＣＨフォーマットにおけるＰＵＣＣＨリソースは、各ダウンリンクキャリアグループに対して構成され、適切なＰＵＣＣＨリソースが、具体的な決定条件に従って、報告されるべきＣＳＩを送信するために決定される。これにより、送信される必要があるＣＳＩが標準的に送信されることを保証し、可能な限り、ＰＵＣＣＨリソースを節約する。例えば、より小容量のＰＵＣＣＨリソースが利用可能である場合、より大容量のＰＵＣＣＨリソースは、利用のために選択されない。従って、ネットワークオペレーションレートが向上する。
【０１１６】
同様に、本発明の本実施形態において、例えば、ＰＵＣＣＨフォーマット２のＰＵＣＣＨリソース、ＰＵＣＣＨフォーマット３のＰＵＣＣＨリソース及びＰＵＣＣＨフォーマット４のＰＵＣＣＨリソースが、各ダウンリンクキャリアグループに対して構成される。異なるダウンリンクキャリアグループに対して構成されるＰＵＣＣＨフォーマット２のＰＵＣＣＨリソースは、同じ又は異なっていてよく、異なるダウンリンクキャリアグループに対して構成されるＰＵＣＣＨフォーマット３のＰＵＣＣＨリソースは、同じ又は異なっていてよい。同様に、異なるダウンリンクキャリアグループに対して構成されるＰＵＣＣＨフォーマット４のＰＵＣＣＨリソースは、同じ又は異なっていてよい。例えば、Ｋ個のアクティブ化されたキャリアのＣＳＩが、アップリンクサブフレームｎにおいて報告される必要があり、Ｋ個のＣＳＩは、Ｋ個のダウンリンクキャリアグループに対応すると決定される。そこで、Ｋ個のＰＵＣＣＨフォーマット３のＰＵＣＣＨリソースが、選択のために利用可能であってよい。すなわち、ＵＥは、Ｋ個のＣＳＩを送信すべく、Ｋ個のＰＵＣＣＨフォーマット３のＰＵＣＣＨリソースから、１つのＰＵＣＣＨリソースを決定する必要がある。ＵＥの具体的な決定方式については、前述の説明（すなわち、ＵＥが、Ｋ個のダウンリンクキャリアグループに対応するＫ個のＰＵＣＣＨフォーマット２のＰＵＣＣＨリソースから、どのように１つのＰＵＣＣＨリソースを決定するかについての前述の説明）を参照されたい。詳細は、本明細書においてさらには説明されない。
【０１１７】
２．ＣＳＩに対応する特定のパラメータは、ＣＳＩに対応するビット数を指す。
【０１１８】
任意選択的に、本発明の本実施形態において、報告されるべきＣＳＩに従って、報告されるべきＣＳＩに対応するＰＵＣＣＨリソースのフォーマットが第１のフォーマットであると決定する段階は、
報告されるべきＣＳＩのビット数に従って、報告されるべきＣＳＩに対応するＰＵＣＣＨリソースのフォーマットが第１のフォーマットであると決定する段階
を含む。
【０１１９】
具体的には、ＣＳＩに対応する特定のパラメータがＣＳＩのビット数を指す場合、ＣＳＩに対応する特定のパラメータの値とＰＵＣＣＨリソースのフォーマットとの間の対応は、ＣＳＩのビット数の範囲とＰＵＣＣＨリソースのフォーマットとの間の対応であってよい。
【０１２０】
すなわち、報告されるべきＣＳＩに対応する特定のパラメータは、報告されるべきＣＳＩに対応するビットの合計数である。例えば、３つのＣＳＩの合計が取得され、報告されるべきＣＳＩに対応する特定のパラメータは、３つのＣＳＩに対応するビットの合計数である。
【０１２１】
任意選択的に、本発明の本実施形態において、少なくとも２つのＰＵＣＣＨリソースがＰＵＣＣＨフォーマット２に対応するＰＵＣＣＨリソース及びＰＵＣＣＨフォーマット３に対応するＰＵＣＣＨリソースを含む場合、報告されるべきＣＳＩのビット数に従って、報告されるべきＣＳＩに対応するＰＵＣＣＨリソースのフォーマットが第１のフォーマットであると決定する段階は、
ビット数が第３の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定する段階
を含む。
【０１２２】
本発明の本実施形態において、例えば、第３の数は１１である。ＰＵＣＣＨフォーマット２に対応するＰＵＣＣＨリソースの容量は、１１ビットであり、ＰＵＣＣＨフォーマット３に対応するＰＵＣＣＨリソースの容量は、２２ビットであり、１つのＣＳＩは、概して、１１ビットを占有する。従って、報告されるべきＣＳＩに対応するビットの合計数が１１より大きい場合、ＰＵＣＣＨフォーマット２に対応するＰＵＣＣＨリソースは、報告されるべきＣＳＩの全てを送信するために用いられることができないことは明らかである。従って、この場合、報告される必要があるＣＳＩの全てを１つのアップリンクサブフレームにおいて送信可能であることを可能な限り保証すべく、ＰＵＣＣＨフォーマット３に対応するＰＵＣＣＨリソースが、報告されるべきＣＳＩを送信するために選択されてよい。あるいは、報告されるべきＣＳＩに対応するビットの合計数が１１より小さい又はこれと等しい場合、ＰＵＣＣＨフォーマット２に対応するＰＵＣＣＨリソースが、報告されるべきＣＳＩの全てを送信するために用いられることができる。この場合、ＰＵＣＣＨフォーマット３に対応するより大容量のＰＵＣＣＨリソースを選択する必要がなく、これにより、可能な限り、ネットワークリソースを節約することができる。
【０１２３】
同様に、アップリンクサブフレームｎにおいて報告される必要があるＣＳＩが合計でＭビット存在すると決定される。例えば、Ｍ＝２２である。Ｍ個のＣＳＩは、Ｍ個のダウンリンクキャリアグループに対応する。そこで、Ｍ個のＰＵＣＣＨフォーマット３のＰＵＣＣＨリソースが、選択のために利用可能であってよい。すなわち、ＵＥは、Ｍ個のＣＳＩを送信すべく、Ｍ個のＰＵＣＣＨフォーマット３のＰＵＣＣＨリソースから、１つのＰＵＣＣＨリソースを決定する必要がある。ＵＥの具体的な選択方式については、前述の説明を参照されたい。詳細は、本明細書においてさらには説明されない。
【０１２４】
任意選択的に、本発明の本実施形態において、少なくとも２つのＰＵＣＣＨリソースがＰＵＣＣＨフォーマット２に対応するＰＵＣＣＨリソース及びＰＵＣＣＨフォーマット４に対応するＰＵＣＣＨリソースを含む場合、報告されるべきＣＳＩのビット数に従って、報告されるべきＣＳＩに対応するＰＵＣＣＨリソースのフォーマットが第１のフォーマットであると決定する段階は、
ビット数が第３の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定する段階
を含む。
【０１２５】
本発明の本実施形態において、例えば、第３の数は１１である。ＰＵＣＣＨフォーマット２に対応するＰＵＣＣＨリソースの容量は、１１ビットであり、ＰＵＣＣＨフォーマット４に対応するＰＵＣＣＨリソースの容量は、１２８ビット、又はさらに最大で３２０ビットであり、１つのＣＳＩは、概して、１１ビットを占有する。従って、報告されるべきＣＳＩに対応するビットの合計数が１１より大きい場合、ＰＵＣＣＨフォーマット２に対応するＰＵＣＣＨリソースは、報告されるべきＣＳＩの全てを送信するために用いられることができないことは明らかである。従って、この場合、報告される必要があるＣＳＩの全てを１つのアップリンクサブフレームにおいて送信可能であることを可能な限り保証すべく、ＰＵＣＣＨフォーマット４に対応するＰＵＣＣＨリソースが、報告されるべきＣＳＩを送信するために選択されてよい。あるいは、報告されるべきＣＳＩに対応するビットの合計数が１１より小さい又はこれと等しい場合、ＰＵＣＣＨフォーマット２に対応するＰＵＣＣＨリソースが、報告されるべきＣＳＩの全てを送信するために用いられることができる。この場合、ＰＵＣＣＨフォーマット４に対応するより大容量のＰＵＣＣＨリソースを選択する必要がなく、これにより、可能な限り、ネットワークリソースを節約することができる。
【０１２６】
同様に、同じアップリンクサブフレームｎにおいて報告される必要があるＣＳＩが合計でＭビット存在すると決定される。Ｍ個のＣＳＩは、Ｍ個のダウンリンクキャリアグループに対応する。そこで、Ｍ個のＰＵＣＣＨフォーマット４のＰＵＣＣＨリソースが、選択のために利用可能であってよい。すなわち、ＵＥは、Ｍ個のＣＳＩを送信すべく、Ｍ個のＰＵＣＣＨフォーマット４のＰＵＣＣＨリソースから、１つのＰＵＣＣＨリソースを選択する必要がある。ＵＥの具体的な選択方式については、前述の説明を参照されたい。詳細は、本明細書においてさらには説明されない。
【０１２７】
任意選択的に、本発明の本実施形態において、少なくとも２つのＰＵＣＣＨリソースがＰＵＣＣＨフォーマット３に対応するＰＵＣＣＨリソース及びＰＵＣＣＨフォーマット４に対応するＰＵＣＣＨリソースを含む場合、報告されるべきＣＳＩのビット数に従って、報告されるべきＣＳＩに対応するＰＵＣＣＨリソースのフォーマットが第１のフォーマットであると決定する段階は、
ビット数が第４の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定する段階
を含む。
【０１２８】
本発明の本実施形態において、例えば、第４の数は２２である。ＰＵＣＣＨフォーマット３に対応するＰＵＣＣＨリソースの容量は、２２ビットであり、ＰＵＣＣＨフォーマット４に対応するＰＵＣＣＨリソースの容量は、１２８ビット、又はさらに最大で３２０ビットであり、１つのＣＳＩは、概して、１１ビットを占有する。従って、報告されるべきＣＳＩに対応するキャリアの合計数が２２より大きい場合、ＰＵＣＣＨフォーマット３に対応するＰＵＣＣＨリソースは、報告されるべきＣＳＩの全てを送信するために用いられることができないことは明らかである。従って、この場合、報告される必要があるＣＳＩの全てを１つのアップリンクサブフレームにおいて送信可能であることを可能な限り保証すべく、ＰＵＣＣＨフォーマット４に対応するＰＵＣＣＨリソースが、報告されるべきＣＳＩを送信するために選択されてよい。あるいは、報告されるべきＣＳＩに対応するビットの合計数が２２より小さい又はこれと等しい場合、ＰＵＣＣＨフォーマット３に対応するＰＵＣＣＨリソースが、報告されるべきＣＳＩの全てを送信するために用いられることができる。この場合、ＰＵＣＣＨフォーマット４に対応するより大容量のＰＵＣＣＨリソースを選択する必要がなく、これにより、可能な限り、ネットワークリソースを節約することができる。
【０１２９】
同様に、アップリンクサブフレームｎにおいて報告される必要があるＣＳＩが合計でＭビット存在すると決定される。Ｍ個のＣＳＩは、Ｍ個のダウンリンクキャリアグループに対応する。そこで、Ｍ個のＰＵＣＣＨフォーマット４のＰＵＣＣＨリソースが、選択のために利用可能であってよい。すなわち、ＵＥは、Ｍ個のＣＳＩを送信すべく、Ｍ個のＰＵＣＣＨフォーマット４のＰＵＣＣＨリソースから、１つのＰＵＣＣＨリソースを決定する必要がある。ＵＥの具体的な選択方式については、前述の説明を参照されたい。詳細は、本明細書においてさらには説明されない。
【０１３０】
任意選択的に、本発明の本実施形態において、少なくとも２つのＰＵＣＣＨリソースがＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む場合、報告されるべきＣＳＩのビット数に従って、ＣＳＩに対応するＰＵＣＣＨリソースのフォーマットが第１のフォーマットであると決定する段階は、
ビット数が第３の数より小さい又はこれと等しい場合に、報告されるべきＣＳＩに対応するＰＵＣＣＨリソースのフォーマットがＰＵＣＣＨフォーマット２であると決定する段階、又は、
ビット数が第３の数より大きく、第４の数より小さい又はこれと等しい場合に、報告されるべきＣＳＩに対応するＰＵＣＣＨリソースのフォーマットがＰＵＣＣＨフォーマット３であると決定する段階、又は、
ビット数が第４の数より大きい場合に、報告されるべきＣＳＩに対応するＰＵＣＣＨリソースのフォーマットがＰＵＣＣＨフォーマット４であると決定する段階
を含む。
【０１３１】
本発明の本実施形態において、例えば、第３の数は１１であり、第４の数は２２である。ＰＵＣＣＨフォーマット２に対応するＰＵＣＣＨリソースの容量は、１１ビットであり、ＰＵＣＣＨフォーマット３に対応するＰＵＣＣＨリソースの容量は、２２ビットであり、ＰＵＣＣＨフォーマット４に対応するＰＵＣＣＨリソースの容量は、１２８ビット、又はさらに最大で３２０ビットであり、１つのＣＳＩは、概して、１１ビットを占有する。従って、報告されるべきＣＳＩに対応するビットの合計数が１１より小さい又はこれと等しい場合、ＰＵＣＣＨフォーマット２に対応するＰＵＣＣＨリソースが、他のより大容量のＰＵＣＣＨリソースを浪費することなく、報告されるべきＣＳＩを送信するために用いられることができる。これにより、ネットワークリソースが節約される。報告されるべきＣＳＩに対応するビットの合計数が１１より大きく、２２より小さい又はこれと等しい場合、ＰＵＣＣＨフォーマット３に対応するＰＵＣＣＨリソースが、他のより大容量のＰＵＣＣＨリソースを浪費することなく、報告されるべきＣＳＩを送信するために用いられることができる。これにより、ネットワークリソースが節約される。報告されるべきＣＳＩに対応するビットの合計数が２２より大きい場合、ＰＵＣＣＨフォーマット２に対応するＰＵＣＣＨリソース又はＰＵＣＣＨフォーマット３に対応するＰＵＣＣＨリソースのいずれも、報告されるべきＣＳＩの全てを送信するために用いられることができないことは明らかである。従って、この場合、報告される必要があるＣＳＩの全てを１つのアップリンクサブフレームにおいて送信可能であることを可能な限り保証すべく、ＰＵＣＣＨフォーマット４に対応するＰＵＣＣＨリソースが、報告されるべきＣＳＩを送信するために選択されてよい。
【０１３２】
本発明の本実施形態において、１つのアップリンクサブフレームにおいて報告される必要があるＣＳＩが、１つのＰＵＣＣＨリソースを用いることによって、送信可能であることが認識されよう。これにより、ＰＵＣＣＨリソースが節約され、送信される必要があるＣＳＩが送信中に破棄されることを回避し、可能な限り、全てのダウンリンクキャリアのＣＳＩが基地局に送信可能であることを保証し、これにより、基地局は、ダウンリンクキャリアを比較的有効にスケジューリングすることができる。さらに、少なくとも２つのＰＵＣＣＨフォーマットにおけるＰＵＣＣＨリソースは、各ダウンリンクキャリアグループに対して構成され、適切なＰＵＣＣＨリソースが、具体的な決定条件に従って、報告されるべきＣＳＩを送信するために選択される。これにより、送信される必要があるＣＳＩが標準的に送信されることを保証し、可能な限り、ＰＵＣＣＨリソースを節約する。例えば、より小容量のＰＵＣＣＨリソースが利用可能である場合、より大容量のＰＵＣＣＨリソースは、利用のために選択されない。従って、ネットワークオペレーションレートが向上する。
【０１３３】
同様に、アップリンクサブフレームｎにおいて報告される必要があるＣＳＩが合計でＭビット存在すると決定される。Ｍ個のＣＳＩは、Ｍ個のダウンリンクキャリアグループに対応する。そこで、Ｍ個のＰＵＣＣＨフォーマット４のＰＵＣＣＨリソースが、選択のために利用可能であってよい。すなわち、ＵＥは、Ｍ個のＣＳＩを送信すべく、Ｍ個のＰＵＣＣＨフォーマット４のＰＵＣＣＨリソースから、１つのＰＵＣＣＨリソースを決定する必要がある。ＵＥの具体的な選択方式については、前述の説明を参照されたい。詳細は、本明細書においてさらには説明されない。
【０１３４】
段階１０３。報告されるべきＣＳＩを第１のフォーマットの第１のＰＵＣＣＨリソースに追加し、報告されるべきＣＳＩを報告する。
【０１３５】
本発明の本実施形態において、例えば、ＵＥによって選択されたＰＵＣＣＨリソースは、第１のＰＵＣＣＨリソースと称される。すなわち、ＵＥは、ＣＳＩを報告するために、第１のＰＵＣＣＨリソースを用いる必要がある。ＵＥは、全ての取得されたＣＳＩを第１のＰＵＣＣＨリソースに追加し、ＣＳＩを報告してよい。
【０１３６】
任意選択的に、本発明の本実施形態において、報告されるべきＣＳＩを第１のフォーマットの第１のＰＵＣＣＨリソースに追加し、報告されるべきＣＳＩを報告する段階は、
報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定する段階と、
報告されるべきＣＳＩを第１のＰＵＣＣＨリソースに追加し、報告されるべきＣＳＩを報告する段階と、
を含む。
【０１３７】
任意選択的に、本発明の本実施形態において、報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定する段階は、
ネットワークデバイスによって送信された、受信された情報に従って、少なくとも１つのＰＵＣＣＨリソースから、第１のＰＵＣＣＨリソースを決定する段階、又は、
少なくとも１つのＰＵＣＣＨリソースから、最小番号のＰＵＣＣＨリソースを第１のＰＵＣＣＨリソースとして決定する段階、又は、
少なくとも１つのＰＵＣＣＨリソースから、最大番号のＰＵＣＣＨリソースを第１のＰＵＣＣＨリソースとして決定する段階、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定する段階、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定する段階
を含む。
【０１３８】
具体的な選択方式は、前述の内容において説明されている。詳細は、本明細書においてさらには説明されない。
【０１３９】
図２を参照すると、同じ発明的概念に基づいて、本発明の実施形態は、ＣＳＩ受信方法を提供する。方法は、ネットワークデバイスに適用されてよい。例えば、ネットワークデバイスは、基地局であってよい。方法の主な手続きが、以下の通り説明される。
【０１４０】
段階２０１。アップリンクサブフレームにおいてユーザ機器によって報告されるべきＣＳＩを決定する。ＣＳＩは、１つ又は複数のダウンリンクキャリアグループに対応し、少なくとも２つのＰＵＣＣＨリソースは、１つのダウンリンクキャリアグループに対して構成され、少なくとも２つのＰＵＣＣＨリソースは、異なるフォーマットを有する。
【０１４１】
本発明の本実施形態において、図１の手続きを参照すると、ＵＥは、１つのＰＵＣＣＨリソースに、報告されるべきＣＳＩを追加し、ＣＳＩを報告することが認識されよう。これにより、ＰＵＣＣＨリソースのオーバヘッドが大幅に減少する。ＵＥによる、ＣＳＩを取得し、ＰＵＣＣＨリソースを決定する等の具体的な実装プロセスは、図１の手続きにおいて説明されている。
【０１４２】
基地局は、どのＣＳＩがＵＥによって予め報告されているかを認識する。
【０１４３】
任意選択的に、本発明の本実施形態において、アップリンクサブフレームにおいてユーザ機器によって報告されるべきＣＳＩを決定する前に、方法は、
ＵＥの各ダウンリンクキャリアグループに対して、少なくとも２つのＰＵＣＣＨリソースを構成する段階
をさらに含んでよい。
【０１４４】
すなわち、ＵＥのダウンリンクキャリアグループのＰＵＣＣＨリソースは、基地局によって予め構成されている。
【０１４５】
任意選択的に、本発明の本実施形態において、方法は、
アクティブ化命令又は非アクティブ化命令をＵＥに送信する段階
をさらに含んでよい。
【０１４６】
アクティブ化命令は、ＵＥのダウンリンクキャリアグループにおける対応するキャリアをアクティブ化するようＵＥに命令するために用いられる。非アクティブ化命令は、ＵＥのダウンリンクキャリアグループにおける対応するキャリアを無効化するようＵＥに命令するために用いられる。
【０１４７】
本発明の本実施形態において、基地局は、アクティブ化命令又は非アクティブ化命令をＵＥに送信し、基地局は、ＵＥのダウンリンクキャリアグループに対して、ＰＵＣＣＨリソースを構成する。基地局によってアクティブ化命令又は非アクティブ化命令をＵＥに送信する段階と、基地局によってＵＥのダウンリンクキャリアグループに対してＰＵＣＣＨリソースを構成する段階との間の実装順序は、ランダムであってよい。
【０１４８】
任意選択的に、本発明の本実施形態において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【０１４９】
段階２０２。ＣＳＩに従って、ＣＳＩに対応するＰＵＣＣＨリソースのフォーマットが第１のフォーマットであると決定する。
【０１５０】
具体的には、報告されるべきＣＳＩに対応するＰＵＣＣＨリソースのフォーマットは、報告されるべきＣＳＩに対応する特定のパラメータの値に従って、決定されてよい。例えば、決定されたフォーマットは、第１のフォーマットと称される。
【０１５１】
具体的には、ＣＳＩに対応する特定のパラメータの値と、ＰＵＣＣＨリソースのフォーマットとの間の対応は、基地局に予め格納されていてよい。ＣＳＩに対応する特定のパラメータは、ＣＳＩに対応するキャリアの数、ＣＳＩに対応するビット数等であってよい。これは、本発明に限定されるものではない。当業者であれば、当然のこととして、ＣＳＩに対応する特定のパラメータが変化する場合、当該対応が対応するバリエーションを有してよいことを認識する。
【０１５２】
任意選択的に、ＣＳＩに対応する特定のパラメータが変化する場合、基地局は、報告されるべきＣＳＩに対応するＰＵＣＣＨリソースのフォーマットを異なる方式で決定する。
【０１５３】
１．ＣＳＩに対応する特定のパラメータは、ＣＳＩに対応するキャリアの数を指す。
【０１５４】
任意選択的に、本発明の本実施形態において、ＣＳＩに従って、ＣＳＩに対応するＰＵＣＣＨリソースのフォーマットが第１のフォーマットであると決定する段階は、
ＣＳＩに対応するキャリアの数に従って、ＣＳＩに対応するＰＵＣＣＨリソースのフォーマットが第１のフォーマットであると決定する段階
を含む。
【０１５５】
任意選択的に、本発明の本実施形態において、少なくとも２つのＰＵＣＣＨリソースがＰＵＣＣＨフォーマット２に対応するＰＵＣＣＨリソース及びＰＵＣＣＨフォーマット３に対応するＰＵＣＣＨリソースを含む場合、ＣＳＩに対応するキャリアの数に従って、ＣＳＩに対応するＰＵＣＣＨリソースのフォーマットが第１のフォーマットであると決定する段階は、
キャリアの数が第１の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定する段階
を含む。
【０１５６】
任意選択的に、本発明の本実施形態において、少なくとも２つのＰＵＣＣＨリソースがＰＵＣＣＨフォーマット２に対応するＰＵＣＣＨリソース及びＰＵＣＣＨフォーマット４に対応するＰＵＣＣＨリソースを含む場合、ＣＳＩに対応するキャリアの数に従って、ＣＳＩに対応するＰＵＣＣＨリソースのフォーマットが第１のフォーマットであると決定する段階は、
キャリアの数が第１の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定する段階
を含む。
【０１５７】
任意選択的に、本発明の本実施形態において、少なくとも２つのＰＵＣＣＨリソースがＰＵＣＣＨフォーマット３に対応するＰＵＣＣＨリソース及びＰＵＣＣＨフォーマット４に対応するＰＵＣＣＨリソースを含む場合、ＣＳＩに対応するキャリアの数に従って、ＣＳＩに対応するＰＵＣＣＨリソースのフォーマットが第１のフォーマットであると決定する段階は、
キャリアの数が第２の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定する段階
を含む。
【０１５８】
任意選択的に、本発明の本実施形態において、少なくとも２つのＰＵＣＣＨリソースがＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む場合、ＣＳＩに対応するキャリアの数に従って、ＣＳＩに対応するＰＵＣＣＨリソースのフォーマットが第１のフォーマットであると決定する段階は、
キャリアの数が第１の数より小さい又はこれと等しい場合に、ＣＳＩに対応するＰＵＣＣＨリソースのフォーマットがＰＵＣＣＨフォーマット２であると決定する段階、又は、
キャリアの数が第１の数より大きく、第２の数より小さい又はこれと等しい場合に、ＣＳＩに対応するＰＵＣＣＨリソースのフォーマットがＰＵＣＣＨフォーマット３であると決定する段階、又は、
キャリアの数が第２の数より大きい場合に、ＣＳＩに対応するＰＵＣＣＨリソースのフォーマットがＰＵＣＣＨフォーマット４であると決定する段階
を含む。
【０１５９】
２．ＣＳＩに対応する特定のパラメータは、ＣＳＩに対応するビット数を指す。
【０１６０】
任意選択的に、本発明の本実施形態において、ＣＳＩに従って、ＣＳＩに対応するＰＵＣＣＨリソースのフォーマットが第１のフォーマットであると決定する段階は、
ＣＳＩのビット数に従って、ＣＳＩに対応するＰＵＣＣＨリソースのフォーマットが第１のフォーマットであると決定する段階
を含む。
【０１６１】
任意選択的に、本発明の本実施形態において、少なくとも２つのＰＵＣＣＨリソースがＰＵＣＣＨフォーマット２に対応するＰＵＣＣＨリソース及びＰＵＣＣＨフォーマット３に対応するＰＵＣＣＨリソースを含む場合、ＣＳＩのビット数に従って、ＣＳＩに対応するＰＵＣＣＨリソースのフォーマットが第１のフォーマットであると決定する段階は、
ビット数が第３の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定する段階
を含む。
【０１６２】
任意選択的に、本発明の本実施形態において、少なくとも２つのＰＵＣＣＨリソースがＰＵＣＣＨフォーマット２に対応するＰＵＣＣＨリソース及びＰＵＣＣＨフォーマット４に対応するＰＵＣＣＨリソースを含む場合、ＣＳＩのビット数に従って、ＣＳＩに対応するＰＵＣＣＨリソースのフォーマットが第１のフォーマットであると決定する段階は、
ビット数が第３の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定する段階
を含む。
【０１６３】
任意選択的に、本発明の本実施形態において、少なくとも２つのＰＵＣＣＨリソースがＰＵＣＣＨフォーマット３に対応するＰＵＣＣＨリソース及びＰＵＣＣＨフォーマット４に対応するＰＵＣＣＨリソースを含む場合、ＣＳＩのビット数に従って、ＣＳＩに対応するＰＵＣＣＨリソースのフォーマットが第１のフォーマットであると決定する段階は、
ビット数が第４の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定する段階
を含む。
【０１６４】
任意選択的に、本発明の本実施形態において、少なくとも２つのＰＵＣＣＨリソースがＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む場合、ＣＳＩのビット数に従って、ＣＳＩに対応するＰＵＣＣＨリソースのフォーマットが第１のフォーマットであると決定する段階は、
ビット数が第３の数より小さい又はこれと等しい場合に、ＣＳＩに対応するＰＵＣＣＨリソースのフォーマットがＰＵＣＣＨフォーマット２であると決定する段階、又は、
ビット数が第３の数より大きく、第４の数より小さい又はこれと等しい場合に、ＣＳＩに対応するＰＵＣＣＨリソースのフォーマットがＰＵＣＣＨフォーマット３であると決定する段階、又は、
ビット数が第４の数より大きい場合に、ＣＳＩに対応するＰＵＣＣＨリソースのフォーマットがＰＵＣＣＨフォーマット４であると決定する段階
を含む。
【０１６５】
前述されたいくつかの異なる場合に関する具体的な実装方式及び例は、図１の手続きにおいて説明されている。すなわち、基地局及びＵＥは、基本的に同じ処理方式で、報告されるべきＣＳＩに対してＰＵＣＣＨリソースを選択する。
【０１６６】
段階２０３。第１のフォーマットの第１のＰＵＣＣＨリソースにおいて保持されるＣＳＩを受信する。
【０１６７】
本発明の本実施形態において、ＵＥによって最後に選択されたＰＵＣＣＨリソースは、第１のＰＵＣＣＨリソースと称される。確実なこととして、基地局及びＵＥは、同じ選択方式を有する。従って、基地局によって最後に選択されるリソースも、第１のＰＵＣＣＨリソースである。第１のＰＵＣＣＨリソースを選択した後で、ＵＥは、第１のＰＵＣＣＨリソースにおいて報告されるべきＣＳＩを報告する。基地局は、ＵＥが第１のＰＵＣＣＨリソースを用いることによって、ＣＳＩを報告したことを認識するので、基地局は、第１のＰＵＣＣＨリソースを用いることによって、ＣＳＩを直接受信する。これにより、基地局が異なるＰＵＣＣＨリソースにおいてブラインド検出を実行することを防止する。
【０１６８】
任意選択的に、本実施形態において、第１のフォーマットの第１のＰＵＣＣＨリソースにおいて保持されるＣＳＩを受信する段階の前に、方法は、
ＣＳＩが属する１つ又は複数のダウンリンクキャリアグループの各々に対応する少なくとも１つの第１のフォーマットのＰＵＣＣＨリソースから、第１のＰＵＣＣＨリソースを決定する段階と、
第１のＰＵＣＣＨリソースを用いることによって、ＣＳＩを受信することを決定する段階と、
をさらに含む。
【０１６９】
任意選択的に、本発明の本実施形態において、ＣＳＩが属する１つ又は複数のダウンリンクキャリアグループの各々に対応する少なくとも１つの第１のフォーマットのＰＵＣＣＨリソースから、第１のＰＵＣＣＨリソースを決定する段階は、
ネットワークデバイスによって送信された、受信された情報に従って、少なくとも１つのＰＵＣＣＨリソースから、第１のＰＵＣＣＨリソースを決定する段階、又は、
少なくとも１つのＰＵＣＣＨリソースから、最小番号のＰＵＣＣＨリソースを第１のＰＵＣＣＨリソースとして決定する段階、又は、
少なくとも１つのＰＵＣＣＨリソースから、最大番号のＰＵＣＣＨリソースを第１のＰＵＣＣＨリソースとして決定する段階、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定する段階、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定する段階
を含む。
【０１７０】
具体的な方式については、図１の手続きにおける説明を参照されたい。さらに、図２の手続きにおいて具体的に説明されていない全ての事項については、図１の手続きを参照されたい。
【０１７１】
本発明の本実施形態において、少なくとも２つのＰＵＣＣＨリソースが、各ダウンリンクキャリアグループに対して構成される。１つのアップリンクサブフレームにおいて報告される必要があるＣＳＩが取得されてよく、対応するＰＵＣＣＨリソースのフォーマットは、報告されるべきＣＳＩに従って、決定される。例えば、決定されたフォーマットは、第１のフォーマットと称される。次に、報告されるべきＣＳＩの全てが、第１のフォーマットの第１のＰＵＣＣＨリソースに追加された後で、報告される。従って、本発明の本実施形態において、１つのアップリンクサブフレームにおいて報告される必要があるＣＳＩは、１つだけのＰＵＣＣＨリソースを占有することによって報告されてよい。これにより、各ＣＳＩが１つのＰＵＣＣＨリソースを占有する必要がある従来技術の解決手段と比べて、ＰＵＣＣＨリソースのオーバヘッドが大幅に減少し、アップリンクシステムのスループットが改善される。
【０１７２】
さらに、従来技術では、異なるキャリアのＣＳＩが１つのアップリンクサブフレームにおいて報告される必要がある場合、１つのＣＳＩのみが報告のために選択され、他の選択されなかったＣＳＩは破棄される。すなわち、いくつかのキャリアに対応するＣＳＩは報告されることができず、基地局は、報告されないＣＳＩに対応するダウンリンクキャリアに対して、有効なダウンリンクデータスケジューリングを実行することができない。これは、ダウンリンクシステムの性能低下を招く。しかしながら、本発明の本実施形態における技術的解決手段が用いられた後で、１つのアップリンクサブフレームにおいて報告される必要があるＣＳＩは、同じＰＵＣＣＨリソースに追加された後で、報告されることができる。これにより、可能な限り、ＣＳＩの破棄を回避し、全てのダウンリンクキャリアの報告される必要があるＣＳＩが報告可能となることを保証し、これにより、基地局は、比較的有効にダウンリンクキャリアをスケジューリングすることができ、これにより、ダウンリンクシステムの性能を改善する。
【０１７３】
さらに本発明の本実施形態において、基地局は、ＵＥと同じ方式でＰＵＣＣＨリソースを選択し、基地局及びＵＥは、同じＰＵＣＣＨリソースを選択する。従って、基地局は、どのＰＵＣＣＨリソースが、ＣＳＩを送信するためにＵＥによって用いられるかを認識し、ＰＵＣＣＨリソースにおいて直接ＣＳＩを受信することができる。これにより、基地局がブラインド検出を実行することを防止し、基地局の負荷を減少させる。
【０１７４】
以下において、本発明の実施形態における装置が、添付図面に関連して説明される。
【０１７５】
図３を参照すると、同じ発明的概念に基づいて、本発明の実施形態は、ユーザ機器を提供する。ユーザ機器は、取得モジュール３０１と、決定モジュール３０２と、送信モジュール３０３と、を含んでよい。
【０１７６】
取得モジュール３０１は、アップリンクサブフレームにおいて報告されるべきチャネル状態情報ＣＳＩを取得するように構成される。報告されるべきＣＳＩは、１つ又は複数のダウンリンクキャリアグループに対応する。少なくとも２つの物理アップリンク制御チャネルＰＵＣＣＨリソースが、１つのダウンリンクキャリアグループに対して構成される。少なくとも２つのＰＵＣＣＨリソースは、異なるフォーマットを有する。
【０１７７】
決定モジュール３０２は、報告されるべきＣＳＩに従って、報告されるべきＣＳＩに対応するＰＵＣＣＨリソースのフォーマットが第１のフォーマットであると決定するように構成される。
【０１７８】
送信モジュール３０３は、報告されるべきＣＳＩを第１のフォーマットの第１のＰＵＣＣＨリソースに追加し、報告されるべきＣＳＩを報告するように構成される。
【０１７９】
任意選択的に、本発明の本実施形態において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【０１８０】
任意選択的に、本発明の本実施形態において、決定モジュール３０２は、具体的には、
報告されるべきＣＳＩに対応するキャリアの数に従って、報告されるべきＣＳＩに対応するＰＵＣＣＨリソースのフォーマットが第１のフォーマットであると決定する、又は、
報告されるべきＣＳＩのビット数に従って、報告されるべきＣＳＩに対応するＰＵＣＣＨリソースのフォーマットが第１のフォーマットであると決定するように構成される。
【０１８１】
任意選択的に、本発明の本実施形態において、少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含み、
決定モジュール３０２が、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定することである、又は、
決定モジュール３０２が、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定することである。
【０１８２】
任意選択的に、本発明の本実施形態において、少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含み、
決定モジュール３０２が、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定することである、又は、
決定モジュール３０２が、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定することである。
【０１８３】
任意選択的に、本発明の本実施形態において、少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含み、
決定モジュール３０２が、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第２の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定することである、又は、
決定モジュール３０２が、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第４の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定することである。
【０１８４】
任意選択的に、本発明の本実施形態において、少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含み、
決定モジュール３０２が、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より小さい又はこれと等しい場合に、報告されるべきＣＳＩに対応するＰＵＣＣＨリソースのフォーマットがＰＵＣＣＨフォーマット２であると決定すること、もしくは、
キャリアの数が第１の数より大きく、第２の数より小さい又はこれと等しい場合に、報告されるべきＣＳＩに対応するＰＵＣＣＨリソースのフォーマットがＰＵＣＣＨフォーマット３であると決定すること、もしくは、
キャリアの数が第２の数より大きい場合に、報告されるべきＣＳＩに対応するＰＵＣＣＨリソースのフォーマットがＰＵＣＣＨフォーマット４であると決定することである、又は、
決定モジュール３０２が、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より小さい又はこれと等しい場合に、報告されるべきＣＳＩに対応するＰＵＣＣＨリソースのフォーマットがＰＵＣＣＨフォーマット２であると決定すること、もしくは、
ビット数が第３の数より大きく、第４の数より小さい又はこれと等しい場合に、報告されるべきＣＳＩに対応するＰＵＣＣＨリソースのフォーマットがＰＵＣＣＨフォーマット３であると決定すること、もしくは、
ビット数が第４の数より大きい場合に、報告されるべきＣＳＩに対応するＰＵＣＣＨリソースのフォーマットがＰＵＣＣＨフォーマット４であると決定することである。
【０１８５】
任意選択的に、本発明の本実施形態において、送信モジュール３０３は、具体的には、
報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定し、
報告されるべきＣＳＩを第１のＰＵＣＣＨリソースに追加し、報告されるべきＣＳＩを報告するように構成される。
【０１８６】
任意選択的に、本発明の本実施形態において、送信モジュール３０３が、具体的には、報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定するように構成されることは、具体的には、
ネットワークデバイスによって送信された、受信された情報に従って、少なくとも１つのＰＵＣＣＨリソースから、第１のＰＵＣＣＨリソースを決定すること、又は、
少なくとも１つのＰＵＣＣＨリソースから、最小番号のＰＵＣＣＨリソースを第１のＰＵＣＣＨリソースとして決定すること、又は、
少なくとも１つのＰＵＣＣＨリソースから、最大番号のＰＵＣＣＨリソースを第１のＰＵＣＣＨリソースとして決定すること、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定すること、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定することである。
【０１８７】
図４を参照すると、同じ発明的概念に基づいて、本発明の実施形態は、ネットワークデバイスを提供する。ネットワークデバイスは、例えば、基地局であってよい。ネットワークデバイスは、第１の決定モジュール４０１と、第２の決定モジュール４０２と、受信モジュール４０３と、を含んでよい。
【０１８８】
第１の決定モジュール４０１は、アップリンクサブフレームにおいてユーザ機器によって報告されるべきＣＳＩを決定するように構成される。ＣＳＩは、１つ又は複数のダウンリンクキャリアグループに対応する。少なくとも２つのＰＵＣＣＨリソースが、１つのダウンリンクキャリアグループに対して構成される。少なくとも２つのＰＵＣＣＨリソースは、異なるフォーマットを有する。
【０１８９】
第２の決定モジュール４０２は、ＣＳＩに従って、ＣＳＩに対応するＰＵＣＣＨリソースのフォーマットが第１のフォーマットであると決定するように構成される。
【０１９０】
受信モジュール４０３は、第１のフォーマットの第１のＰＵＣＣＨリソースにおいて保持されるＣＳＩを受信するように構成される。
【０１９１】
任意選択的に、本発明の本実施形態において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【０１９２】
任意選択的に、本発明の本実施形態において、第２の決定モジュール４０２は、具体的には、
ＣＳＩに対応するキャリアの数に従って、ＣＳＩに対応するＰＵＣＣＨリソースのフォーマットが第１のフォーマットであると決定する、又は、
ＣＳＩのビット数に従って、ＣＳＩに対応するＰＵＣＣＨリソースのフォーマットが第１のフォーマットであると決定するように構成される。
【０１９３】
任意選択的に、本発明の本実施形態において、少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含み、
第２の決定モジュール４０２が、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定することである、又は、
第２の決定モジュール４０２が、具体的には、ＣＳＩのビット数に従って、ＣＳＩに対応するＰＵＣＣＨリソースのフォーマットが第１のフォーマットであると決定するように構成されることは、具体的には、
ビット数が第３の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定することである。
【０１９４】
任意選択的に、本発明の本実施形態において、少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含み、
第２の決定モジュール４０２が、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定することである、又は、
第２の決定モジュール４０２が、具体的には、ＣＳＩのビット数に従って、ＣＳＩに対応するＰＵＣＣＨリソースのフォーマットが第１のフォーマットであると決定するように構成されることは、具体的には、
ビット数が第３の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定することである。
【０１９５】
任意選択的に、本発明の本実施形態において、少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含み、
第２の決定モジュール４０２が、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第２の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定することである、又は、
第２の決定モジュール４０２が、具体的には、ＣＳＩのビット数に従って、ＣＳＩに対応するＰＵＣＣＨリソースのフォーマットが第１のフォーマットであると決定するように構成されることは、具体的には、
ビット数が第４の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定することである。
【０１９６】
任意選択的に、本発明の本実施形態において、少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含み、
第２の決定モジュール４０２が、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より小さい又はこれと等しい場合に、ＣＳＩに対応するＰＵＣＣＨリソースのフォーマットがＰＵＣＣＨフォーマット２であると決定すること、もしくは、
キャリアの数が第１の数より大きく、第２の数より小さい又はこれと等しい場合に、ＣＳＩに対応するＰＵＣＣＨリソースのフォーマットがＰＵＣＣＨフォーマット３であると決定すること、もしくは、
キャリアの数が第２の数より大きい場合に、ＣＳＩに対応するＰＵＣＣＨリソースのフォーマットがＰＵＣＣＨフォーマット４であると決定することである、又は、
第２の決定モジュール４０２が、具体的には、ＣＳＩのビット数に従って、ＣＳＩに対応するＰＵＣＣＨリソースのフォーマットが第１のフォーマットであると決定するように構成されることは、具体的には、
ビット数が第３の数より小さい又はこれと等しい場合に、ＣＳＩに対応するＰＵＣＣＨリソースのフォーマットがＰＵＣＣＨフォーマット２であると決定すること、もしくは、
ビット数が第３の数より大きく、第４の数より小さい又はこれと等しい場合に、ＣＳＩに対応するＰＵＣＣＨリソースのフォーマットがＰＵＣＣＨフォーマット３であると決定すること、もしくは、
ビット数が第４の数より大きい場合に、ＣＳＩに対応するＰＵＣＣＨリソースのフォーマットがＰＵＣＣＨフォーマット４であると決定することである。
【０１９７】
任意選択的に、本発明の本実施形態において、ネットワークデバイスは、第３の決定モジュール及び第４の決定モジュールをさらに含む。
【０１９８】
第３の決定モジュールは、受信モジュール４０３が第１のフォーマットの第１のＰＵＣＣＨリソースにおいて保持されるＣＳＩを受信する前に、ＣＳＩが属する１つ又は複数のダウンリンクキャリアグループの各々に対応する少なくとも１つの第１のフォーマットのＰＵＣＣＨリソースから、第１のＰＵＣＣＨリソースを決定するように構成される。
【０１９９】
第４の決定モジュールは、第１のＰＵＣＣＨリソースを用いることによって、ＣＳＩを受信を決定するように構成される。
【０２００】
任意選択的に、本発明の本実施形態において、第３の決定モジュールは、具体的には、
ネットワークデバイスによって送信された、受信された情報に従って、少なくとも１つのＰＵＣＣＨリソースから、第１のＰＵＣＣＨリソースを決定する、又は、
少なくとも１つのＰＵＣＣＨリソースから、最小番号のＰＵＣＣＨリソースを第１のＰＵＣＣＨリソースとして決定する、又は、
少なくとも１つのＰＵＣＣＨリソースから、最大番号のＰＵＣＣＨリソースを第１のＰＵＣＣＨリソースとして決定する、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定する、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定する
ように構成される。
【０２０１】
図５を参照すると、同じ発明的概念に基づいて、本発明の実施形態は、ユーザ機器を提供する。ユーザ機器は、バス５００に接続されるメモリ５０１、プロセッサ５０２、及び送受信機５０３を含んでよい。
【０２０２】
メモリ５０１は、プロセッサ５０２がタスクを実行するために必要な命令を格納するように構成される。
【０２０３】
プロセッサ５０２は、アップリンクサブフレームにおいて報告されるべきチャネル状態情報ＣＳＩであって、報告されるべきＣＳＩは、１つ又は複数のダウンリンクキャリアグループに対応し、少なくとも２つの物理アップリンク制御チャネルＰＵＣＣＨリソースが、１つのダウンリンクキャリアグループに対して構成され、少なくとも２つのＰＵＣＣＨリソースは、異なるフォーマットを有する、ＣＳＩを取得すべく、メモリ５０１に格納された命令を実行し、報告されるべきＣＳＩに従って、報告されるべきＣＳＩに対応するＰＵＣＣＨリソースのフォーマットが第１のフォーマットであると決定し、報告されるべきＣＳＩを第１のフォーマットの第１のＰＵＣＣＨリソースに追加し、送受信機５０３を用いることによって、報告されるべきＣＳＩを報告するように構成される。
【０２０４】
任意選択的に、本発明の本実施形態において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【０２０５】
任意選択的に、本発明の本実施形態において、プロセッサ５０２が、報告されるべきＣＳＩに従って、報告されるべきＣＳＩに対応するＰＵＣＣＨリソースのフォーマットが第１のフォーマットであると決定するように構成されることは、具体的には、
報告されるべきＣＳＩに対応するキャリアの数に従って、報告されるべきＣＳＩに対応するＰＵＣＣＨリソースのフォーマットが第１のフォーマットであると決定すること、又は、
報告されるべきＣＳＩのビット数に従って、報告されるべきＣＳＩに対応するＰＵＣＣＨリソースのフォーマットが第１のフォーマットであると決定することである。
【０２０６】
任意選択的に、本発明の本実施形態において、少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含み、
プロセッサ５０２が、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定することである、又は、
プロセッサ５０２が、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より大きい場合に、報告されるべきＣＳＩに対応するＰＵＣＣＨリソースのフォーマットがＰＵＣＣＨフォーマット３であると決定し、さもなければ、報告されるべきＣＳＩに対応するＰＵＣＣＨリソースのフォーマットがＰＵＣＣＨフォーマット２であると決定することである。
【０２０７】
任意選択的に、本発明の本実施形態において、少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含み、
プロセッサ５０２が、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定することである、又は、
プロセッサ５０２が、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット２であると決定することである。
【０２０８】
任意選択的に、本発明の本実施形態において、少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含み、
プロセッサ５０２が、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第２の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定することである、又は、
プロセッサ５０２が、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第４の数より大きい場合に、報告されるべきＣＳＩに対応するＰＵＣＣＨリソースのフォーマットがＰＵＣＣＨフォーマット４であると決定し、さもなければ、報告されるべきＣＳＩに対応するＰＵＣＣＨリソースのフォーマットがＰＵＣＣＨフォーマット３であると決定することである。
【０２０９】
任意選択的に、本発明の本実施形態において、少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含み、
プロセッサ５０２が、具体的には、報告されるべきＣＳＩに対応するキャリアの数に従って、報告されるべきＣＳＩに対応するＰＵＣＣＨリソースのフォーマットが第１のフォーマットであると決定するように構成されることは、具体的には、
キャリアの数が第１の数より小さい又はこれと等しい場合に、報告されるべきＣＳＩに対応するＰＵＣＣＨリソースのフォーマットがＰＵＣＣＨフォーマット２であると決定すること、もしくは、
キャリアの数が第１の数より大きく、第２の数より小さい又はこれと等しい場合に、報告されるべきＣＳＩに対応するＰＵＣＣＨリソースのフォーマットがＰＵＣＣＨフォーマット３であると決定すること、もしくは、
キャリアの数が第２の数より大きい場合に、報告されるべきＣＳＩに対応するＰＵＣＣＨリソースのフォーマットがＰＵＣＣＨフォーマット４であると決定することである、又は、
プロセッサ５０２が、具体的には、報告されるべきＣＳＩのビット数に従って、報告されるべきＣＳＩに対応するＰＵＣＣＨリソースのフォーマットが第１のフォーマットであると決定するように構成されることは、具体的には、
ビット数が第３の数より小さい又はこれと等しい場合に、報告されるべきＣＳＩに対応するＰＵＣＣＨリソースのフォーマットがＰＵＣＣＨフォーマット２であると決定すること、もしくは、
ビット数が第３の数より大きく、第４の数より小さい又はこれと等しい場合に、報告されるべきＣＳＩに対応するＰＵＣＣＨリソースのフォーマットがＰＵＣＣＨフォーマット３であると決定すること、もしくは、
ビット数が第４の数より大きい場合に、報告されるべきＣＳＩに対応するＰＵＣＣＨリソースのフォーマットがＰＵＣＣＨフォーマット４であると決定することである。
【０２１０】
任意選択的に、本発明の本実施形態において、プロセッサ５０２が、報告されるべきＣＳＩを第１のフォーマットの第１のＰＵＣＣＨリソースに追加し、送受信機５０３を用いることによって、報告されるべきＣＳＩを報告するように構成されることは、具体的には、
報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定し、
報告されるべきＣＳＩを第１のＰＵＣＣＨリソースに追加し、送受信機を用いることによって、報告されるべきＣＳＩを報告することである。
【０２１１】
任意選択的に、本発明の本実施形態において、プロセッサ５０２が、具体的には、報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定するように構成されることは、具体的には、
ネットワークデバイスによって送信され、かつ、送受信機５０３によって受信された情報に従って、少なくとも１つのＰＵＣＣＨリソースから、第１のＰＵＣＣＨリソースを決定すること、又は、
少なくとも１つのＰＵＣＣＨリソースから、最小番号のＰＵＣＣＨリソースを第１のＰＵＣＣＨリソースとして決定すること、又は、
少なくとも１つのＰＵＣＣＨリソースから、最大番号のＰＵＣＣＨリソースを第１のＰＵＣＣＨリソースとして決定すること、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定すること、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定することである。
【０２１２】
図６を参照すると、同じ発明的概念に基づいて、本発明の実施形態は、ネットワークデバイスを提供する。ネットワークデバイスは、基地局であってよい。ネットワークデバイスは、バス６００に接続されるメモリ６０１、プロセッサ６０２、及び受信機６０３を含んでよい。
【０２１３】
メモリ６０１は、プロセッサ６０２によってタスクを実行するために必要な命令を格納するように構成される。
【０２１４】
プロセッサ６０２は、アップリンクサブフレームにおいてユーザ機器によって報告されるべきＣＳＩであって、ＣＳＩは、１つ又は複数のダウンリンクキャリアグループに対応し、少なくとも２つのＰＵＣＣＨリソースが、１つのダウンリンクキャリアグループに対して構成され、少なくとも２つのＰＵＣＣＨリソースは、異なるフォーマットを有する、ＣＳＩを決定すべく、命令を実行し、ＣＳＩに従って、ＣＳＩに対応するＰＵＣＣＨリソースのフォーマットが第１のフォーマットであると決定するように構成される。
【０２１５】
受信機６０３は、第１のフォーマットの第１のＰＵＣＣＨリソースにおいて保持されるＣＳＩを受信するように構成される。
【０２１６】
任意選択的に、本発明の本実施形態において、
少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む。
【０２１７】
任意選択的に、本発明の本実施形態において、プロセッサ６０２が、ＣＳＩに従って、ＣＳＩに対応するＰＵＣＣＨリソースのフォーマットが第１のフォーマットであると決定するように構成されることは、具体的には、
ＣＳＩに対応するキャリアの数に従って、ＣＳＩに対応するＰＵＣＣＨリソースのフォーマットが第１のフォーマットであると決定する、又は、
ＣＳＩのビット数に従って、ＣＳＩに対応するＰＵＣＣＨリソースのフォーマットが第１のフォーマットであると決定することである。
【０２１８】
任意選択的に、本発明の本実施形態において、少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含み、
プロセッサ６０２が、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定することである、又は、
プロセッサ６０２が、具体的には、ＣＳＩのビット数に従って、ＣＳＩに対応するＰＵＣＣＨリソースのフォーマットが第１のフォーマットであると決定するように構成されることは、具体的には、
ビット数が第３の数より大きい場合に、ＣＳＩに対応するＰＵＣＣＨリソースのフォーマットがＰＵＣＣＨフォーマット３であると決定し、さもなければ、ＣＳＩに対応するＰＵＣＣＨリソースのフォーマットがＰＵＣＣＨフォーマット２であると決定することである。
【０２１９】
任意選択的に、本発明の本実施形態において、少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含み、
プロセッサ６０２が、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定することである、又は、
プロセッサ６０２が、具体的には、ＣＳＩのビット数に従って、ＣＳＩに対応するＰＵＣＣＨリソースのフォーマットが第１のフォーマットであると決定するように構成されることは、具体的には、
ビット数が第３の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット２であると決定することである。
【０２２０】
任意選択的に、本発明の本実施形態において、少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含み、
プロセッサ６０２が、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第２の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定することである、又は、
プロセッサ６０２が、具体的には、ＣＳＩのビット数に従って、ＣＳＩに対応するＰＵＣＣＨリソースのフォーマットが第１のフォーマットであると決定するように構成されることは、具体的には、
ビット数が第４の数より大きい場合に、ＣＳＩに対応するＰＵＣＣＨリソースのフォーマットがＰＵＣＣＨフォーマット４であると決定し、さもなければ、ＣＳＩに対応するＰＵＣＣＨリソースのフォーマットがＰＵＣＣＨフォーマット３であると決定することである。
【０２２１】
任意選択的に、本発明の本実施形態において、少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含み、
プロセッサ６０２が、具体的には、ＣＳＩに対応するキャリアの数に従って、ＣＳＩに対応するＰＵＣＣＨリソースのフォーマットが第１のフォーマットであると決定するように構成されることは、具体的には、
キャリアの数が第１の数より小さい又はこれと等しい場合に、ＣＳＩに対応するＰＵＣＣＨリソースのフォーマットがＰＵＣＣＨフォーマット２であると決定すること、もしくは、
キャリアの数が第１の数より大きく、第２の数より小さい又はこれと等しい場合に、ＣＳＩに対応するＰＵＣＣＨリソースのフォーマットがＰＵＣＣＨフォーマット３であると決定すること、もしくは、
キャリアの数が第２の数より大きい場合に、ＣＳＩに対応するＰＵＣＣＨリソースのフォーマットがＰＵＣＣＨフォーマット４であると決定することである、又は、
プロセッサ６０２が、具体的には、ＣＳＩのビット数に従って、ＣＳＩに対応するＰＵＣＣＨリソースのフォーマットが第１のフォーマットであると決定するように構成されることは、具体的には、
ビット数が第３の数より小さい又はこれと等しい場合に、ＣＳＩに対応するＰＵＣＣＨリソースのフォーマットがＰＵＣＣＨフォーマット２であると決定すること、もしくは、
ビット数が第３の数より大きく、第４の数より小さい又はこれと等しい場合に、ＣＳＩに対応するＰＵＣＣＨリソースのフォーマットがＰＵＣＣＨフォーマット３であると決定すること、もしくは、
ビット数が第４の数より大きい場合に、ＣＳＩに対応するＰＵＣＣＨリソースのフォーマットがＰＵＣＣＨフォーマット４であると決定することである。
【０２２２】
任意選択的に、本発明の本実施形態において、プロセッサ６０２は、
受信機６０３が第１のフォーマットの第１のＰＵＣＣＨリソースにおいて保持されるＣＳＩを受信する前に、ＣＳＩが属する１つ又は複数のダウンリンクキャリアグループの各々に対応する少なくとも１つの第１のフォーマットのＰＵＣＣＨリソースから、第１のＰＵＣＣＨリソースを決定し、
第１のＰＵＣＣＨリソースを用いることによって、ＣＳＩを受信することを決定する
ようにさらに構成される。
【０２２３】
任意選択的に、本発明の本実施形態において、プロセッサ６０２が、具体的には、報告されるべきＣＳＩが属する１つ又は複数のダウンリンクキャリアグループの各々に対応する少なくとも１つの第１のフォーマットのＰＵＣＣＨリソースから、第１のＰＵＣＣＨリソースを決定するように構成されることは、具体的には、
ネットワークデバイスによって送信された、受信された情報に従って、少なくとも１つのＰＵＣＣＨリソースから、第１のＰＵＣＣＨリソースを決定すること、又は、
少なくとも１つのＰＵＣＣＨリソースから、最小番号のＰＵＣＣＨリソースを第１のＰＵＣＣＨリソースとして決定すること、又は、
少なくとも１つのＰＵＣＣＨリソースから、最大番号のＰＵＣＣＨリソースを第１のＰＵＣＣＨリソースとして決定すること、又は、
少なくとも１つのＰＵＣＣＨリソースに対応する少なくとも１つのキャリアから、最小番号のキャリアに対応するＰＵＣＣＨリソースを第１のＰＵＣＣＨリソースとして決定すること、又は、
少なくとも１つのＰＵＣＣＨリソースに対応する少なくとも１つのキャリアから、最大番号のキャリアに対応するＰＵＣＣＨリソースを第１のＰＵＣＣＨリソースとして決定することである。
【０２２４】
本発明の本実施形態において、少なくとも２つのＰＵＣＣＨリソースが、各ダウンリンクキャリアグループに対して構成される。１つのアップリンクサブフレームにおいて報告される必要があるＣＳＩが取得されてよく、対応するＰＵＣＣＨリソースのフォーマットは、報告されるべきＣＳＩに従って、決定される。例えば、決定されたフォーマットは、第１のフォーマットと称される。次に、報告されるべきＣＳＩの全てが、第１のフォーマットの第１のＰＵＣＣＨリソースに追加された後で、報告される。従って、本発明の本実施形態において、１つのアップリンクサブフレームにおいて報告される必要があるＣＳＩは、１つだけのＰＵＣＣＨリソースを占有することによって報告されてよい。これにより、各ＣＳＩが１つのＰＵＣＣＨリソースを占有する必要がある従来技術の解決手段と比べて、ＰＵＣＣＨリソースのオーバヘッドが大幅に減少し、アップリンクシステムのスループットが改善される。
【０２２５】
さらに、従来技術では、異なるキャリアのＣＳＩが１つのアップリンクサブフレームにおいて報告される必要がある場合、１つのＣＳＩのみが報告のために選択され、他の選択されなかったＣＳＩは破棄される。すなわち、いくつかのキャリアに対応するＣＳＩは報告されることができず、基地局は、報告されないＣＳＩに対応するダウンリンクキャリアに対して、有効なダウンリンクデータスケジューリングを実行することができない。これは、ダウンリンクシステムの性能低下を招く。しかしながら、本発明の本実施形態における技術的解決手段が用いられた後で、１つのアップリンクサブフレームにおいて報告される必要があるＣＳＩは、同じＰＵＣＣＨリソースに追加された後で、報告されることができる。これにより、可能な限り、ＣＳＩの破棄を回避し、全てのダウンリンクキャリアの報告される必要があるＣＳＩが報告可能となることを保証し、これにより、基地局は、比較的有効にダウンリンクキャリアをスケジューリングすることができ、これにより、ダウンリンクシステムの性能を改善する。
【０２２６】
当業者によれば、前述の機能モジュールの分割を、説明の便宜及び簡潔性を目的とした説明例として受け取られることが、明確に理解されよう。実際の適用において、前述の機能は、異なる機能モジュールに割り当てられ、要件に従って、実装されてよい。すなわち、装置の内部構造は、異なる機能モジュールに分割され、上述された機能の全て又はいくつかを実装する。前述されたシステム、装置、及びユニットの詳細な動作プロセスについては、前述された方法の実施形態における対応プロセスを参照し、詳細は、本明細書においてさらには説明されない。
【０２２７】
本願において提供されるいくつかの実施形態において、開示されるシステム、装置、及び方法は、他の方式で実装されてよいことを理解されたい。例えば、説明された装置の実施形態は、例に過ぎない。例えば、モジュール又はユニットの分割は、論理的機能の分割に過ぎず、実際の実装においては、他の分割であってよい。例えば、複数のユニット又はコンポーネントは、組み合わせられ又は統合されて他のシステムとされてよく、いくつかの機能は、無視又は実行されなくてよい。さらに、表示又は説明された相互連結もしくは直接連結又は通信接続は、いくつかのインタフェース、装置、又はユニットの間における間接的な連結又は通信接続であってよく、電子的、機械的、又は他の形式で実装されてよい。
【０２２８】
別個の部分として説明されたユニットは、物理的に別個であってよく、又はなくてもよい。ユニットとして表示された部分は、物理的なユニットであってよく、又はなくてもよく、１つの位置に配置されてよく、又は、複数のネットワークユニットにおいて分散されてもよい。ユニットのいくつか又は全ては、実施形態の解決手段の目的を実現すべく、実際の必要性に従って、選択されてよい。
【０２２９】
さらに、本願の実施形態における機能的ユニットは、１つの処理ユニットに統合されてよく、又は、ユニットの各々は、物理的に単独で存在してよく、又は２つ又はそれより多くのユニットが、１つのユニットに統合される。統合されたユニットは、ハードウェア形式で実装されてよく、又はソフトウェア機能ユニット形式で実装されてよい。
【０２３０】
統合されたユニットがソフトウェア機能ユニット形式で実装され、単独製品として販売又は使用される場合、統合されたユニットは、コンピュータ可読記憶媒体に格納されてよい。このような理解に基づいて、基本的に本願の技術的解決手段が、又は従来技術に寄与する部分が、又は技術的解決手段の全てもしくは一部が、ソフトウェア製品の形式で実装されてよい。ソフトウェア製品は、記憶媒体に格納され、本願の実施形態において説明された方法の段階の全て又は一部を実行するよう、コンピュータデバイス（パーソナルコンピュータ、サーバ、ネットワークデバイス等であってよい）又はプロセッサ（ｐｒｏｃｅｓｓｏｒ）に命令するためのいくつかの命令を含む。前述の記憶媒体は、ＵＳＢフラッシュドライブ、リムーバブルハードディスク、リードオンリメモリ（ＲＯＭ、リードオンリメモリ）、ランダムアクセスメモリ（ＲＡＭ、ランダムアクセスメモリ）、磁気ディスク、又は光ディスクのような、プログラムコードを格納可能な任意の媒体を含む。
【０２３１】
前述の実施形態は、本願の技術的解決手段を説明するために用いられたに過ぎない。前述の実施形態は、本発明の方法及び中心的概念の理解を助けることを意図したものに過ぎず、本発明に対する限定と解されてはならない。当業者であれば、本発明において開示された技術的範囲内において容易に案出されるあらゆるバリエーション又は置換は、本発明の保護範囲に属するものとする。
［項目１］
チャネル状態情報ＣＳＩ報告方法であって、
アップリンクサブフレームにおいて報告されるべきＣＳＩを取得する段階であって、上記報告されるべきＣＳＩは、１つ又は複数のダウンリンクキャリアグループに対応し、少なくとも２つの物理アップリンク制御チャネルＰＵＣＣＨリソースが、１つのダウンリンクキャリアグループに対して構成され、上記少なくとも２つのＰＵＣＣＨリソースは、異なるフォーマットを有する、段階と、
上記報告されるべきＣＳＩに従って、上記報告されるべきＣＳＩに対応するＰＵＣＣＨリソースのフォーマットが第１のフォーマットであると決定する段階と、
上記報告されるべきＣＳＩを上記第１のフォーマットの第１のＰＵＣＣＨリソースに追加し、上記報告されるべきＣＳＩを報告する段階と、
を備える方法。
［項目２］
上記少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
上記少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む、
項目１に記載の方法。
［項目３］
上記報告されるべきＣＳＩに従って、上記報告されるべきＣＳＩに対応するＰＵＣＣＨリソースのフォーマットが第１のフォーマットであると決定する上記段階は、
上記報告されるべきＣＳＩに対応するキャリアの数に従って、上記報告されるべきＣＳＩに対応する上記ＰＵＣＣＨリソースの上記フォーマットが上記第１のフォーマットであると決定する段階、又は、
上記報告されるべきＣＳＩのビット数に従って、上記報告されるべきＣＳＩに対応する上記ＰＵＣＣＨリソースの上記フォーマットが上記第１のフォーマットであると決定する段階
を含む、項目２に記載の方法。
［項目４］
上記少なくとも２つのＰＵＣＣＨリソースは、上記ＰＵＣＣＨフォーマット２に対応する上記ＰＵＣＣＨリソース及び上記ＰＵＣＣＨフォーマット３に対応する上記ＰＵＣＣＨリソースを含み、
上記報告されるべきＣＳＩに対応するキャリアの数に従って、上記報告されるべきＣＳＩに対応する上記ＰＵＣＣＨリソースの上記フォーマットが上記第１のフォーマットであると決定する上記段階は、
上記キャリアの数が第１の数より大きい場合に、上記報告されるべきＣＳＩに対応する上記ＰＵＣＣＨリソースの上記フォーマットが上記ＰＵＣＣＨフォーマット３であると決定し、さもなければ、上記報告されるべきＣＳＩに対応する上記ＰＵＣＣＨリソースの上記フォーマットが上記ＰＵＣＣＨフォーマット２であると決定する段階を含む、又は、
上記報告されるべきＣＳＩのビット数に従って、上記報告されるべきＣＳＩに対応する上記ＰＵＣＣＨリソースの上記フォーマットが上記第１のフォーマットであると決定する上記段階は、
上記ビット数が第３の数より大きい場合に、上記報告されるべきＣＳＩに対応する上記ＰＵＣＣＨリソースの上記フォーマットが上記ＰＵＣＣＨフォーマット３であると決定し、さもなければ、上記報告されるべきＣＳＩに対応する上記ＰＵＣＣＨリソースの上記フォーマットが上記ＰＵＣＣＨフォーマット２であると決定する段階を含む、
項目３に記載の方法。
［項目５］
上記少なくとも２つのＰＵＣＣＨリソースは、上記ＰＵＣＣＨフォーマット２に対応する上記ＰＵＣＣＨリソース及び上記ＰＵＣＣＨフォーマット４に対応する上記ＰＵＣＣＨリソースを含み、
上記報告されるべきＣＳＩに対応するキャリアの数に従って、上記報告されるべきＣＳＩに対応する上記ＰＵＣＣＨリソースの上記フォーマットが上記第１のフォーマットであると決定する上記段階は、
上記キャリアの数が第１の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット２であると決定する段階を含む、又は、
上記報告されるべきＣＳＩのビット数に従って、上記報告されるべきＣＳＩに対応する上記ＰＵＣＣＨリソースの上記フォーマットが上記第１のフォーマットであると決定する上記段階は、
上記ビット数が第３の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット２であると決定する段階を含む、
項目３に記載の方法。
［項目６］
上記少なくとも２つのＰＵＣＣＨリソースは、上記ＰＵＣＣＨフォーマット３に対応する上記ＰＵＣＣＨリソース及び上記ＰＵＣＣＨフォーマット４に対応する上記ＰＵＣＣＨリソースを含み、
上記報告されるべきＣＳＩに対応するキャリアの数に従って、上記報告されるべきＣＳＩに対応する上記ＰＵＣＣＨリソースの上記フォーマットが上記第１のフォーマットであると決定する上記段階は、
上記キャリアの数が第２の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット３であると決定する段階を含む、又は、
上記報告されるべきＣＳＩのビット数に従って、上記報告されるべきＣＳＩに対応する上記ＰＵＣＣＨリソースの上記フォーマットが上記第１のフォーマットであると決定する上記段階は、
上記ビット数が第４の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット３であると決定する段階を含む、
項目３に記載の方法。
［項目７］
上記少なくとも２つのＰＵＣＣＨリソースは、上記ＰＵＣＣＨフォーマット２に対応する上記ＰＵＣＣＨリソース、上記ＰＵＣＣＨフォーマット３に対応する上記ＰＵＣＣＨリソース、及び上記ＰＵＣＣＨフォーマット４に対応する上記ＰＵＣＣＨリソースを含み、
上記報告されるべきＣＳＩに対応するキャリアの数に従って、上記報告されるべきＣＳＩに対応する上記ＰＵＣＣＨリソースの上記フォーマットが上記第１のフォーマットであると決定する上記段階は、
上記キャリアの数が第１の数より小さい又はこれと等しい場合に、上記報告されるべきＣＳＩに対応する上記ＰＵＣＣＨリソースの上記フォーマットが上記ＰＵＣＣＨフォーマット２であると決定する段階、もしくは、
上記キャリアの数が上記第１の数より大きく、第２の数より小さい又はこれと等しい場合に、上記報告されるべきＣＳＩに対応する上記ＰＵＣＣＨリソースの上記フォーマットが上記ＰＵＣＣＨフォーマット３であると決定する段階、もしくは、
上記キャリアの数が上記第２の数より大きい場合に、上記報告されるべきＣＳＩに対応する上記ＰＵＣＣＨリソースの上記フォーマットが上記ＰＵＣＣＨフォーマット４であると決定する段階を含む、又は、
上記報告されるべきＣＳＩのビット数に従って、上記報告されるべきＣＳＩに対応する上記ＰＵＣＣＨリソースの上記フォーマットが上記第１のフォーマットであると決定する上記段階は、
上記ビット数が第３の数より小さい又はこれと等しい場合に、上記報告されるべきＣＳＩに対応する上記ＰＵＣＣＨリソースの上記フォーマットが上記ＰＵＣＣＨフォーマット２であると決定する段階、もしくは、
上記ビット数が上記第３の数より大きく、第４の数より小さい又はこれと等しい場合に、上記報告されるべきＣＳＩに対応する上記ＰＵＣＣＨリソースの上記フォーマットが上記ＰＵＣＣＨフォーマット３であると決定する段階、もしくは、
上記ビット数が上記第４の数より大きい場合に、上記報告されるべきＣＳＩに対応する上記ＰＵＣＣＨリソースの上記フォーマットが上記ＰＵＣＣＨフォーマット４であると決定する段階を含む、
項目３に記載の方法。
［項目８］
上記報告されるべきＣＳＩを上記第１のフォーマットの第１のＰＵＣＣＨリソースに追加し、上記報告されるべきＣＳＩを報告する上記段階は、
上記報告されるべきＣＳＩが属する上記１つ又は複数のダウンリンクキャリアグループの各々に対応する少なくとも１つの上記第１のフォーマットのＰＵＣＣＨリソースから、上記第１のＰＵＣＣＨリソースを決定する段階と、
上記報告されるべきＣＳＩを上記第１のＰＵＣＣＨリソースに追加し、上記報告されるべきＣＳＩを報告する段階と、
を含む、項目１から７のいずれか１項に記載の方法。
［項目９］
上記報告されるべきＣＳＩが属する上記１つ又は複数のダウンリンクキャリアグループの各々に対応する少なくとも１つの上記第１のフォーマットのＰＵＣＣＨリソースから、上記第１のＰＵＣＣＨリソースを決定する上記段階は、
ネットワークデバイスによって送信された、受信された情報に従って、上記少なくとも１つのＰＵＣＣＨリソースから、上記第１のＰＵＣＣＨリソースを決定する段階、又は、
上記少なくとも１つのＰＵＣＣＨリソースから、最小番号のＰＵＣＣＨリソースを上記第１のＰＵＣＣＨリソースとして決定する段階、又は、
上記少なくとも１つのＰＵＣＣＨリソースから、最大番号のＰＵＣＣＨリソースを上記第１のＰＵＣＣＨリソースとして決定する段階、又は、
上記少なくとも１つのＰＵＣＣＨリソースに対応する少なくとも１つのキャリアから、最小番号のキャリアに対応するＰＵＣＣＨリソースを上記第１のＰＵＣＣＨリソースとして決定する段階、又は、
上記少なくとも１つのＰＵＣＣＨリソースに対応する少なくとも１つのキャリアから、最大番号のキャリアに対応するＰＵＣＣＨリソースを上記第１のＰＵＣＣＨリソースとして決定する段階
を含む、項目８に記載の方法。
［項目１０］
チャネル状態情報ＣＳＩ受信方法であって、
アップリンクサブフレームにおいてユーザ機器によって報告されるべきＣＳＩを決定する段階であって、上記ＣＳＩは、１つ又は複数のダウンリンクキャリアグループに対応し、少なくとも２つの物理アップリンク制御チャネルＰＵＣＣＨリソースが、１つのダウンリンクキャリアグループに対して構成され、上記少なくとも２つのＰＵＣＣＨリソースは、異なるフォーマットを有する、段階と、
上記ＣＳＩに従って、上記ＣＳＩに対応する上記ＰＵＣＣＨリソースのフォーマットが第１のフォーマットであると決定する段階と、
上記第１のフォーマットの第１のＰＵＣＣＨリソースにおいて保持される上記ＣＳＩを受信する段階と、
を備える方法。
［項目１１］
上記少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
上記少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む、
項目１０に記載の方法。
［項目１２］
上記ＣＳＩに従って、上記ＣＳＩに対応するＰＵＣＣＨリソースのフォーマットが第１のフォーマットであると決定する上記段階は、
上記ＣＳＩに対応するキャリアの数に従って、上記ＣＳＩに対応する上記ＰＵＣＣＨリソースの上記フォーマットが上記第１のフォーマットであると決定する段階、又は、
上記ＣＳＩのビット数に従って、上記ＣＳＩに対応する上記ＰＵＣＣＨリソースの上記フォーマットが上記第１のフォーマットであると決定する段階
を含む、項目１１に記載の方法。
［項目１３］
上記少なくとも２つのＰＵＣＣＨリソースは、上記ＰＵＣＣＨフォーマット２に対応する上記ＰＵＣＣＨリソース及び上記ＰＵＣＣＨフォーマット３に対応する上記ＰＵＣＣＨリソースを含み、
上記ＣＳＩに対応するキャリアの数に従って、上記ＣＳＩに対応する上記ＰＵＣＣＨリソースの上記フォーマットが上記第１のフォーマットであると決定する上記段階は、
上記キャリアの数が第１の数より大きい場合に、上記ＣＳＩに対応する上記ＰＵＣＣＨリソースの上記フォーマットが上記ＰＵＣＣＨフォーマット３であると決定し、さもなければ、上記ＣＳＩに対応する上記ＰＵＣＣＨリソースの上記フォーマットが上記ＰＵＣＣＨフォーマット２であると決定する段階を含む、又は、
上記ＣＳＩのビット数に従って、上記ＣＳＩに対応する上記ＰＵＣＣＨリソースの上記フォーマットが上記第１のフォーマットであると決定する上記段階は、
上記ビット数が第３の数より大きい場合に、上記ＣＳＩに対応する上記ＰＵＣＣＨリソースの上記フォーマットが上記ＰＵＣＣＨフォーマット３であると決定し、さもなければ、上記ＣＳＩに対応する上記ＰＵＣＣＨリソースの上記フォーマットが上記ＰＵＣＣＨフォーマット２であると決定する段階を含む、
項目１２に記載の方法。
［項目１４］
上記少なくとも２つのＰＵＣＣＨリソースは、上記ＰＵＣＣＨフォーマット２に対応する上記ＰＵＣＣＨリソース及び上記ＰＵＣＣＨフォーマット４に対応する上記ＰＵＣＣＨリソースを含み、
上記ＣＳＩに対応するキャリアの数に従って、上記ＣＳＩに対応する上記ＰＵＣＣＨリソースの上記フォーマットが上記第１のフォーマットであると決定する上記段階は、
上記キャリアの数が第１の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット２であると決定する段階を含む、又は、
上記ＣＳＩのビット数に従って、上記ＣＳＩに対応する上記ＰＵＣＣＨリソースの上記フォーマットが上記第１のフォーマットであると決定する上記段階は、
上記ビット数が第３の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット２であると決定する段階を含む、
項目１２に記載の方法。
［項目１５］
上記少なくとも２つのＰＵＣＣＨリソースは、上記ＰＵＣＣＨフォーマット３に対応する上記ＰＵＣＣＨリソース及び上記ＰＵＣＣＨフォーマット４に対応する上記ＰＵＣＣＨリソースを含み、
上記ＣＳＩに対応するキャリアの数に従って、上記ＣＳＩに対応する上記ＰＵＣＣＨリソースの上記フォーマットが上記第１のフォーマットであると決定する上記段階は、
上記キャリアの数が第２の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット３であると決定する段階を含む、又は、
上記ＣＳＩのビット数に従って、上記ＣＳＩに対応する上記ＰＵＣＣＨリソースの上記フォーマットが上記第１のフォーマットであると決定する上記段階は、
上記ビット数が第４の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット３であると決定する段階を含む、
項目１２に記載の方法。
［項目１６］
上記少なくとも２つのＰＵＣＣＨリソースは、上記ＰＵＣＣＨフォーマット２に対応する上記ＰＵＣＣＨリソース、上記ＰＵＣＣＨフォーマット３に対応する上記ＰＵＣＣＨリソース、及び上記ＰＵＣＣＨフォーマット４に対応する上記ＰＵＣＣＨリソースを含み、
上記ＣＳＩに対応するキャリアの数に従って、上記ＣＳＩに対応する上記ＰＵＣＣＨリソースの上記フォーマットが上記第１のフォーマットであると決定する上記段階は、
上記キャリアの数が第１の数より小さい又はこれと等しい場合に、上記ＣＳＩに対応する上記ＰＵＣＣＨリソースの上記フォーマットが上記ＰＵＣＣＨフォーマット２であると決定する段階、もしくは、
上記キャリアの数が上記第１の数より大きく、第２の数より小さい又はこれと等しい場合に、上記ＣＳＩに対応する上記ＰＵＣＣＨリソースの上記フォーマットが上記ＰＵＣＣＨフォーマット３であると決定する段階、もしくは、
上記キャリアの数が上記第２の数より大きい場合に、上記ＣＳＩに対応する上記ＰＵＣＣＨリソースの上記フォーマットが上記ＰＵＣＣＨフォーマット４であると決定する段階を含む、又は、
上記ＣＳＩのビット数に従って、上記ＣＳＩに対応する上記ＰＵＣＣＨリソースの上記フォーマットが上記第１のフォーマットであると決定する上記段階は、
上記ビット数が第３の数より小さい又はこれと等しい場合に、上記ＣＳＩに対応する上記ＰＵＣＣＨリソースの上記フォーマットが上記ＰＵＣＣＨフォーマット２であると決定する段階、もしくは、
上記ビット数が上記第３の数より大きく、第４の数より小さい又はこれと等しい場合に、上記ＣＳＩに対応する上記ＰＵＣＣＨリソースの上記フォーマットが上記ＰＵＣＣＨフォーマット３であると決定する段階、もしくは、
上記ビット数が上記第４の数より大きい場合に、上記ＣＳＩに対応する上記ＰＵＣＣＨリソースの上記フォーマットが上記ＰＵＣＣＨフォーマット４であると決定する段階を含む、
項目１２に記載の方法。
［項目１７］
上記第１のフォーマットの第１のＰＵＣＣＨリソースにおいて保持される上記ＣＳＩを受信する上記段階の前に、
上記ＣＳＩが属する上記１つ又は複数のダウンリンクキャリアグループの各々に対応する少なくとも１つの上記第１のフォーマットのＰＵＣＣＨリソースから、上記第１のＰＵＣＣＨリソースを決定する段階と、
上記第１のＰＵＣＣＨリソースを用いることによって、上記ＣＳＩを受信することを決定する段階と、
をさらに備える、項目１０から１６のいずれか１項に記載の方法。
［項目１８］
上記ＣＳＩが属する上記１つ又は複数のダウンリンクキャリアグループの各々に対応する少なくとも１つの上記第１のフォーマットのＰＵＣＣＨリソースから、上記第１のＰＵＣＣＨリソースを決定する上記段階は、
ネットワークデバイスによって送信された、受信された情報に従って、上記少なくとも１つのＰＵＣＣＨリソースから、上記第１のＰＵＣＣＨリソースを決定する段階、又は、
上記少なくとも１つのＰＵＣＣＨリソースから、最小番号のＰＵＣＣＨリソースを上記第１のＰＵＣＣＨリソースとして決定する段階、又は、
上記少なくとも１つのＰＵＣＣＨリソースから、最大番号のＰＵＣＣＨリソースを上記第１のＰＵＣＣＨリソースとして決定する段階、又は、
上記少なくとも１つのＰＵＣＣＨリソースに対応する少なくとも１つのキャリアから、最小番号のキャリアに対応するＰＵＣＣＨリソースを上記第１のＰＵＣＣＨリソースとして決定する段階、又は、
上記少なくとも１つのＰＵＣＣＨリソースに対応する少なくとも１つのキャリアから、最大番号のキャリアに対応するＰＵＣＣＨリソースを上記第１のＰＵＣＣＨリソースとして決定する段階を含む、
項目１７に記載の方法。
［項目１９］
アップリンクサブフレームにおいて報告されるべきチャネル状態情報ＣＳＩを取得するように構成される取得モジュールであって、上記報告されるべきＣＳＩは、１つ又は複数のダウンリンクキャリアグループに対応し、少なくとも２つの物理アップリンク制御チャネルＰＵＣＣＨリソースが、１つのダウンリンクキャリアグループに対して構成され、上記少なくとも２つのＰＵＣＣＨリソースは、異なるフォーマットを有する、取得モジュールと、
上記報告されるべきＣＳＩに従って、上記報告されるべきＣＳＩに対応するＰＵＣＣＨリソースのフォーマットが第１のフォーマットであると決定するように構成される決定モジュールと、
上記報告されるべきＣＳＩを上記第１のフォーマットの第１のＰＵＣＣＨリソースに追加し、上記報告されるべきＣＳＩを報告するように構成される送信モジュールと、
を備えるユーザ機器。
［項目２０］
上記少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
上記少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む、
項目１９に記載のユーザ機器。
［項目２１］
上記決定モジュールは、具体的には、
上記報告されるべきＣＳＩに対応するキャリアの数に従って、上記報告されるべきＣＳＩに対応する上記ＰＵＣＣＨリソースの上記フォーマットが上記第１のフォーマットであると決定する、又は、
上記報告されるべきＣＳＩのビット数に従って、上記報告されるべきＣＳＩに対応する上記ＰＵＣＣＨリソースの上記フォーマットが上記第１のフォーマットであると決定するように構成される、
項目２０に記載のユーザ機器。
［項目２２］
上記少なくとも２つのＰＵＣＣＨリソースは、上記ＰＵＣＣＨフォーマット２に対応する上記ＰＵＣＣＨリソース及び上記ＰＵＣＣＨフォーマット３に対応する上記ＰＵＣＣＨリソースを含み、
上記決定モジュールが、具体的には、上記報告されるべきＣＳＩに対応するキャリアの数に従って、上記報告されるべきＣＳＩに対応する上記ＰＵＣＣＨリソースの上記フォーマットが上記第１のフォーマットであると決定するように構成されることは、具体的には、
上記キャリアの数が第１の数より大きい場合に、上記報告されるべきＣＳＩに対応する上記ＰＵＣＣＨリソースの上記フォーマットが上記ＰＵＣＣＨフォーマット３であると決定し、さもなければ、上記報告されるべきＣＳＩに対応する上記ＰＵＣＣＨリソースの上記フォーマットが上記ＰＵＣＣＨフォーマット２であると決定することである、又は、
上記決定モジュールが、具体的には、上記報告されるべきＣＳＩのビット数に従って、上記報告されるべきＣＳＩに対応する上記ＰＵＣＣＨリソースの上記フォーマットが上記第１のフォーマットであると決定するように構成されることは、具体的には、
上記ビット数が第３の数より大きい場合に、上記報告されるべきＣＳＩに対応する上記ＰＵＣＣＨリソースの上記フォーマットが上記ＰＵＣＣＨフォーマット３であると決定し、さもなければ、上記報告されるべきＣＳＩに対応する上記ＰＵＣＣＨリソースの上記フォーマットが上記ＰＵＣＣＨフォーマット２であると決定することである、
項目２１に記載のユーザ機器。
［項目２３］
上記少なくとも２つのＰＵＣＣＨリソースは、上記ＰＵＣＣＨフォーマット２に対応する上記ＰＵＣＣＨリソース及び上記ＰＵＣＣＨフォーマット４に対応する上記ＰＵＣＣＨリソースを含み、
上記決定モジュールが、具体的には、上記報告されるべきＣＳＩに対応するキャリアの数に従って、上記報告されるべきＣＳＩに対応する上記ＰＵＣＣＨリソースの上記フォーマットが上記第１のフォーマットであると決定するように構成されることは、具体的には、
上記キャリアの数が第１の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット２であると決定することである、又は、
上記決定モジュールが、具体的には、上記報告されるべきＣＳＩのビット数に従って、上記報告されるべきＣＳＩに対応する上記ＰＵＣＣＨリソースの上記フォーマットが上記第１のフォーマットであると決定するように構成されることは、具体的には、
上記ビット数が第３の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット２であると決定することである、
項目２１に記載のユーザ機器。
［項目２４］
上記少なくとも２つのＰＵＣＣＨリソースは、上記ＰＵＣＣＨフォーマット３に対応する上記ＰＵＣＣＨリソース及び上記ＰＵＣＣＨフォーマット４に対応する上記ＰＵＣＣＨリソースを含み、
上記決定モジュールが、具体的には、上記報告されるべきＣＳＩに対応するキャリアの数に従って、上記報告されるべきＣＳＩに対応する上記ＰＵＣＣＨリソースの上記フォーマットが上記第１のフォーマットであると決定するように構成されることは、具体的には、
上記キャリアの数が第２の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット３であると決定することである、又は、
上記決定モジュールが、具体的には、上記報告されるべきＣＳＩのビット数に従って、上記報告されるべきＣＳＩに対応する上記ＰＵＣＣＨリソースの上記フォーマットが上記第１のフォーマットであると決定するように構成されることは、具体的には、
上記ビット数が第４の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット３であると決定することである、
項目２１に記載のユーザ機器。
［項目２５］
上記少なくとも２つのＰＵＣＣＨリソースは、上記ＰＵＣＣＨフォーマット２に対応する上記ＰＵＣＣＨリソース、上記ＰＵＣＣＨフォーマット３に対応する上記ＰＵＣＣＨリソース、及び上記ＰＵＣＣＨフォーマット４に対応する上記ＰＵＣＣＨリソースを含み、
上記決定モジュールが、具体的には、上記報告されるべきＣＳＩに対応するキャリアの数に従って、上記報告されるべきＣＳＩに対応する上記ＰＵＣＣＨリソースの上記フォーマットが上記第１のフォーマットであると決定するように構成されることは、具体的には、
上記キャリアの数が第１の数より小さい又はこれと等しい場合に、上記報告されるべきＣＳＩに対応する上記ＰＵＣＣＨリソースの上記フォーマットが上記ＰＵＣＣＨフォーマット２であると決定すること、もしくは、
上記キャリアの数が上記第１の数より大きく、第２の数より小さい又はこれと等しい場合に、上記報告されるべきＣＳＩに対応する上記ＰＵＣＣＨリソースの上記フォーマットが上記ＰＵＣＣＨフォーマット３であると決定すること、もしくは、
上記キャリアの数が上記第２の数より大きい場合に、上記報告されるべきＣＳＩに対応する上記ＰＵＣＣＨリソースの上記フォーマットが上記ＰＵＣＣＨフォーマット４であると決定することである、又は、
上記決定モジュールが、具体的には、上記報告されるべきＣＳＩのビット数に従って、上記報告されるべきＣＳＩに対応する上記ＰＵＣＣＨリソースの上記フォーマットが上記第１のフォーマットであると決定するように構成されることは、具体的には、
上記ビット数が第３の数より小さい又はこれと等しい場合に、上記報告されるべきＣＳＩに対応する上記ＰＵＣＣＨリソースの上記フォーマットが上記ＰＵＣＣＨフォーマット２であると決定すること、もしくは、
上記ビット数が上記第３の数より大きく、第４の数より小さい又はこれと等しい場合に、上記報告されるべきＣＳＩに対応する上記ＰＵＣＣＨリソースの上記フォーマットが上記ＰＵＣＣＨフォーマット３であると決定すること、もしくは、
上記ビット数が上記第４の数より大きい場合に、上記報告されるべきＣＳＩに対応する上記ＰＵＣＣＨリソースの上記フォーマットが上記ＰＵＣＣＨフォーマット４であると決定することである、
項目２１に記載のＵＥ。
［項目２６］
上記送信モジュールは、具体的には、
上記報告されるべきＣＳＩが属する上記１つ又は複数のダウンリンクキャリアグループの各々に対応する少なくとも１つの上記第１のフォーマットのＰＵＣＣＨリソースから、上記第１のＰＵＣＣＨリソースを決定し、
上記報告されるべきＣＳＩを上記第１のＰＵＣＣＨリソースに追加し、上記報告されるべきＣＳＩを報告するように構成される、
項目１９から２５のいずれか１項に記載のユーザ機器。
［項目２７］
上記送信モジュールが、具体的には、上記報告されるべきＣＳＩが属する上記１つ又は複数のダウンリンクキャリアグループの各々に対応する少なくとも１つの上記第１のフォーマットのＰＵＣＣＨリソースから、上記第１のＰＵＣＣＨリソースを決定するように構成されることは、具体的には、
ネットワークデバイスによって送信された、受信された情報に従って、上記少なくとも１つのＰＵＣＣＨリソースから、上記第１のＰＵＣＣＨリソースを決定すること、又は、
上記少なくとも１つのＰＵＣＣＨリソースから、最小番号のＰＵＣＣＨリソースを上記第１のＰＵＣＣＨリソースとして決定すること、又は、
上記少なくとも１つのＰＵＣＣＨリソースから、最大番号のＰＵＣＣＨリソースを上記第１のＰＵＣＣＨリソースとして決定すること、又は、
上記少なくとも１つのＰＵＣＣＨリソースに対応する少なくとも１つのキャリアから、最小番号のキャリアに対応するＰＵＣＣＨリソースを上記第１のＰＵＣＣＨリソースとして決定すること、又は、
上記少なくとも１つのＰＵＣＣＨリソースに対応する少なくとも１つのキャリアから、最大番号のキャリアに対応するＰＵＣＣＨリソースを上記第１のＰＵＣＣＨリソースとして決定することである、
項目２６に記載のユーザ機器。
［項目２８］
アップリンクサブフレームにおいてユーザ機器によって報告されるべきチャネル状態情報ＣＳＩを決定するように構成される第１の決定モジュールであって、上記ＣＳＩは、１つ又は複数のダウンリンクキャリアグループに対応し、少なくとも２つの物理アップリンク制御チャネルＰＵＣＣＨリソースが、１つのダウンリンクキャリアグループに対して構成され、上記少なくとも２つのＰＵＣＣＨリソースは、異なるフォーマットを有する、第１の決定モジュールと、
上記ＣＳＩに従って、上記ＣＳＩに対応するＰＵＣＣＨリソースのフォーマットが第１のフォーマットであると決定するように構成される第２の決定モジュールと、
上記第１のフォーマットの第１のＰＵＣＣＨリソースにおいて保持される上記ＣＳＩを受信するように構成される受信モジュールと、
を備えるネットワークデバイス。
［項目２９］
上記少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
上記少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む、
項目２８に記載のネットワークデバイス。
［項目３０］
上記第２の決定モジュールは、具体的には、
上記ＣＳＩに対応するキャリアの数に従って、上記ＣＳＩに対応する上記ＰＵＣＣＨリソースの上記フォーマットが上記第１のフォーマットであると決定する、又は、
上記ＣＳＩのビット数に従って、上記ＣＳＩに対応する上記ＰＵＣＣＨリソースの上記フォーマットが上記第１のフォーマットであると決定する
ように構成される、
項目２９に記載のネットワークデバイス。
［項目３１］
上記少なくとも２つのＰＵＣＣＨリソースは、上記ＰＵＣＣＨフォーマット２に対応する上記ＰＵＣＣＨリソース及び上記ＰＵＣＣＨフォーマット３に対応する上記ＰＵＣＣＨリソースを含み、
上記第２の決定モジュールが、具体的には、上記ＣＳＩに対応するキャリアの数に従って、上記ＣＳＩに対応する上記ＰＵＣＣＨリソースの上記フォーマットが上記第１のフォーマットであると決定するように構成されることは、具体的には、
上記キャリアの数が第１の数より大きい場合に、上記ＣＳＩに対応する上記ＰＵＣＣＨリソースの上記フォーマットが上記ＰＵＣＣＨフォーマット３であると決定し、さもなければ、上記ＣＳＩに対応する上記ＰＵＣＣＨリソースの上記フォーマットが上記ＰＵＣＣＨフォーマット２であると決定することである、又は、
上記第２の決定モジュールが、具体的には、上記ＣＳＩのビット数に従って、上記ＣＳＩに対応する上記ＰＵＣＣＨリソースの上記フォーマットが上記第１のフォーマットであると決定するように構成されることは、具体的には、
上記ビット数が第３の数より大きい場合に、上記ＣＳＩに対応する上記ＰＵＣＣＨリソースの上記フォーマットが上記ＰＵＣＣＨフォーマット３であると決定し、さもなければ、上記ＣＳＩに対応する上記ＰＵＣＣＨリソースの上記フォーマットが上記ＰＵＣＣＨフォーマット２であると決定することである、
項目３０に記載のネットワークデバイス。
［項目３２］
上記少なくとも２つのＰＵＣＣＨリソースは、上記ＰＵＣＣＨフォーマット２に対応する上記ＰＵＣＣＨリソース及び上記ＰＵＣＣＨフォーマット４に対応する上記ＰＵＣＣＨリソースを含み、
上記第２の決定モジュールが、具体的には、上記ＣＳＩに対応するキャリアの数に従って、上記ＣＳＩに対応する上記ＰＵＣＣＨリソースの上記フォーマットが上記第１のフォーマットであると決定するように構成されることは、具体的には、
上記キャリアの数が第１の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット２であると決定することである、又は、
上記第２の決定モジュールが、具体的には、上記ＣＳＩのビット数に従って、上記ＣＳＩに対応する上記ＰＵＣＣＨリソースの上記フォーマットが上記第１のフォーマットであると決定するように構成されることは、具体的には、
上記ビット数が第３の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット２であると決定することである、
項目３０に記載のネットワークデバイス。
［項目３３］
上記少なくとも２つのＰＵＣＣＨリソースは、上記ＰＵＣＣＨフォーマット３に対応する上記ＰＵＣＣＨリソース及び上記ＰＵＣＣＨフォーマット４に対応する上記ＰＵＣＣＨリソースを含み、
上記第２の決定モジュールが、具体的には、上記ＣＳＩに対応するキャリアの数に従って、上記ＣＳＩに対応する上記ＰＵＣＣＨリソースの上記フォーマットが上記第１のフォーマットであると決定するように構成されることは、具体的には、
上記キャリアの数が第２の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット３であると決定することである、又は、
上記第２の決定モジュールが、具体的には、上記ＣＳＩのビット数に従って、上記ＣＳＩに対応する上記ＰＵＣＣＨリソースの上記フォーマットが上記第１のフォーマットであると決定するように構成されることは、具体的には、
上記ビット数が第４の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット３であると決定することである、
項目３０に記載のネットワークデバイス。
［項目３４］
上記少なくとも２つのＰＵＣＣＨリソースは、上記ＰＵＣＣＨフォーマット２に対応する上記ＰＵＣＣＨリソース、上記ＰＵＣＣＨフォーマット３に対応する上記ＰＵＣＣＨリソース、及び上記ＰＵＣＣＨフォーマット４に対応する上記ＰＵＣＣＨリソースを含み、
上記第２の決定モジュールが、具体的には、上記ＣＳＩに対応するキャリアの数に従って、上記ＣＳＩに対応する上記ＰＵＣＣＨリソースの上記フォーマットが上記第１のフォーマットであると決定するように構成されることは、具体的には、
上記キャリアの数が第１の数より小さい又はこれと等しい場合に、上記ＣＳＩに対応する上記ＰＵＣＣＨリソースの上記フォーマットが上記ＰＵＣＣＨフォーマット２であると決定すること、もしくは、
上記キャリアの数が上記第１の数より大きく、第２の数より小さい又はこれと等しい場合に、上記ＣＳＩに対応する上記ＰＵＣＣＨリソースの上記フォーマットが上記ＰＵＣＣＨフォーマット３であると決定すること、もしくは、
上記キャリアの数が上記第２の数より大きい場合に、上記ＣＳＩに対応する上記ＰＵＣＣＨリソースの上記フォーマットが上記ＰＵＣＣＨフォーマット４であると決定することである、又は、
上記第２の決定モジュールが、具体的には、上記ＣＳＩのビット数に従って、上記ＣＳＩに対応する上記ＰＵＣＣＨリソースの上記フォーマットが上記第１のフォーマットであると決定するように構成されることは、具体的には、
上記ビット数が第３の数より小さい又はこれと等しい場合に、上記ＣＳＩに対応する上記ＰＵＣＣＨリソースの上記フォーマットが上記ＰＵＣＣＨフォーマット２であると決定すること、もしくは、
上記ビット数が上記第３の数より大きく、第４の数より小さい又はこれと等しい場合に、上記ＣＳＩに対応する上記ＰＵＣＣＨリソースの上記フォーマットが上記ＰＵＣＣＨフォーマット３であると決定すること、もしくは、
上記ビット数が上記第４の数より大きい場合に、上記ＣＳＩに対応する上記ＰＵＣＣＨリソースの上記フォーマットが上記ＰＵＣＣＨフォーマット４であると決定することである、
項目３０に記載のネットワークデバイス。
［項目３５］
上記ネットワークデバイスは、第３の決定モジュール及び第４の決定モジュールをさらに備え、
上記第３の決定モジュールは、上記受信モジュールが第１のフォーマットの第１のＰＵＣＣＨリソースにおいて保持される上記ＣＳＩを受信する前に、上記ＣＳＩが属する上記１つ又は複数のダウンリンクキャリアグループの各々に対応する少なくとも１つの上記第１のフォーマットのＰＵＣＣＨリソースから、上記第１のＰＵＣＣＨリソースを決定するように構成され、
上記第４の決定モジュールは、上記第１のＰＵＣＣＨリソースを用いることによって、上記ＣＳＩを受信することを決定するように構成される、
項目２８から３４のいずれか１項に記載のネットワークデバイス。
［項目３６］
上記第３の決定モジュールは、具体的には、
上記ネットワークデバイスによって送信された、受信された情報に従って、上記少なくとも１つのＰＵＣＣＨリソースから、上記第１のＰＵＣＣＨリソースを決定する、又は、
上記少なくとも１つのＰＵＣＣＨリソースから、最小番号のＰＵＣＣＨリソースを上記第１のＰＵＣＣＨリソースとして決定する、又は、
上記少なくとも１つのＰＵＣＣＨリソースから、最大番号のＰＵＣＣＨリソースを上記第１のＰＵＣＣＨリソースとして決定する、又は、
上記少なくとも１つのＰＵＣＣＨリソースに対応する少なくとも１つのキャリアから、最小番号のキャリアに対応するＰＵＣＣＨリソースを上記第１のＰＵＣＣＨリソースとして決定する、又は、
上記少なくとも１つのＰＵＣＣＨリソースに対応する少なくとも１つのキャリアから、最大番号のキャリアに対応するＰＵＣＣＨリソースを上記第１のＰＵＣＣＨリソースとして決定する
ように構成される、
項目３５に記載のネットワークデバイス。
［項目３７］
同じバスに接続されるメモリ、プロセッサ、及び送受信機を備えるユーザ機器であって、
上記メモリは、命令を格納するように構成され、
上記プロセッサは、
アップリンクサブフレームにおいて報告されるべきチャネル状態情報ＣＳＩであって、上記報告されるべきＣＳＩは、１つ又は複数のダウンリンクキャリアグループに対応し、少なくとも２つの物理アップリンク制御チャネルＰＵＣＣＨリソースが、１つのダウンリンクキャリアグループに対して構成され、上記少なくとも２つのＰＵＣＣＨリソースは、異なるフォーマットを有する、ＣＳＩを取得すべく、上記命令を実行し、
上記報告されるべきＣＳＩに従って、上記報告されるべきＣＳＩに対応するＰＵＣＣＨリソースのフォーマットが第１のフォーマットであると決定し、
上記報告されるべきＣＳＩを上記第１のフォーマットの第１のＰＵＣＣＨリソースに追加し、上記送受信機を用いることによって、上記報告されるべきＣＳＩを報告する
ように構成される、ユーザ機器。
［項目３８］
上記少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
上記少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む、
項目３７に記載のユーザ機器。
［項目３９］
上記プロセッサが、上記報告されるべきＣＳＩに従って、上記報告されるべきＣＳＩに対応するＰＵＣＣＨリソースのフォーマットが第１のフォーマットであると決定するように構成されることは、具体的には、
上記報告されるべきＣＳＩに対応するキャリアの数に従って、上記報告されるべきＣＳＩに対応する上記ＰＵＣＣＨリソースの上記フォーマットが上記第１のフォーマットであると決定すること、又は、
上記報告されるべきＣＳＩのビット数に従って、上記報告されるべきＣＳＩに対応する上記ＰＵＣＣＨリソースの上記フォーマットが上記第１のフォーマットであると決定することである、
項目３８に記載のユーザ機器。
［項目４０］
上記少なくとも２つのＰＵＣＣＨリソースは、上記ＰＵＣＣＨフォーマット２に対応する上記ＰＵＣＣＨリソース及び上記ＰＵＣＣＨフォーマット３に対応する上記ＰＵＣＣＨリソースを含み、
上記プロセッサが、具体的には、上記報告されるべきＣＳＩに対応するキャリアの数に従って、上記報告されるべきＣＳＩに対応する上記ＰＵＣＣＨリソースの上記フォーマットが上記第１のフォーマットであると決定するように構成されることは、具体的には、
上記キャリアの数が第１の数より大きい場合に、上記報告されるべきＣＳＩに対応する上記ＰＵＣＣＨリソースの上記フォーマットが上記ＰＵＣＣＨフォーマット３であると決定し、さもなければ、上記報告されるべきＣＳＩに対応する上記ＰＵＣＣＨリソースの上記フォーマットが上記ＰＵＣＣＨフォーマット２であると決定することである、又は、
上記プロセッサが、具体的には、上記報告されるべきＣＳＩのビット数に従って、上記報告されるべきＣＳＩに対応する上記ＰＵＣＣＨリソースの上記フォーマットが上記第１のフォーマットであると決定するように構成されることは、具体的には、
上記ビット数が第３の数より大きい場合に、上記報告されるべきＣＳＩに対応する上記ＰＵＣＣＨリソースの上記フォーマットが上記ＰＵＣＣＨフォーマット３であると決定し、さもなければ、上記報告されるべきＣＳＩに対応する上記ＰＵＣＣＨリソースの上記フォーマットが上記ＰＵＣＣＨフォーマット２であると決定することである、
項目３９に記載のユーザ機器。
［項目４１］
上記少なくとも２つのＰＵＣＣＨリソースは、上記ＰＵＣＣＨフォーマット２に対応する上記ＰＵＣＣＨリソース及び上記ＰＵＣＣＨフォーマット４に対応する上記ＰＵＣＣＨリソースを含み、
上記プロセッサが、具体的には、上記報告されるべきＣＳＩに対応するキャリアの数に従って、上記報告されるべきＣＳＩに対応する上記ＰＵＣＣＨリソースの上記フォーマットが上記第１のフォーマットであると決定するように構成されることは、具体的には、
上記キャリアの数が第１の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット２であると決定することである、又は、
上記プロセッサが、具体的には、上記報告されるべきＣＳＩのビット数に従って、上記報告されるべきＣＳＩに対応する上記ＰＵＣＣＨリソースの上記フォーマットが上記第１のフォーマットであると決定するように構成されることは、具体的には、
上記ビット数が第３の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット２であると決定することである、
項目３９に記載のユーザ機器。
［項目４２］
上記少なくとも２つのＰＵＣＣＨリソースは、上記ＰＵＣＣＨフォーマット３に対応する上記ＰＵＣＣＨリソース及び上記ＰＵＣＣＨフォーマット４に対応する上記ＰＵＣＣＨリソースを含み、
上記プロセッサが、具体的には、上記報告されるべきＣＳＩに対応するキャリアの数に従って、上記報告されるべきＣＳＩに対応する上記ＰＵＣＣＨリソースの上記フォーマットが上記第１のフォーマットであると決定するように構成されることは、具体的には、
上記キャリアの数が第２の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット３であると決定することである、又は、
上記プロセッサが、具体的には、上記報告されるべきＣＳＩのビット数に従って、上記報告されるべきＣＳＩに対応する上記ＰＵＣＣＨリソースの上記フォーマットが上記第１のフォーマットであると決定するように構成されることは、具体的には、
上記ビット数が第４の数より大きい場合に、上記報告されるべきＣＳＩに対応する上記ＰＵＣＣＨリソースの上記フォーマットが上記ＰＵＣＣＨフォーマット４であると決定し、さもなければ、上記報告されるべきＣＳＩに対応する上記ＰＵＣＣＨリソースの上記フォーマットが上記ＰＵＣＣＨフォーマット３であると決定することである、
項目３９に記載のユーザ機器。
［項目４３］
上記少なくとも２つのＰＵＣＣＨリソースは、上記ＰＵＣＣＨフォーマット２に対応する上記ＰＵＣＣＨリソース、上記ＰＵＣＣＨフォーマット３に対応する上記ＰＵＣＣＨリソース、及び上記ＰＵＣＣＨフォーマット４に対応する上記ＰＵＣＣＨリソースを含み、
上記プロセッサが、具体的には、上記報告されるべきＣＳＩに対応するキャリアの数に従って、上記報告されるべきＣＳＩに対応する上記ＰＵＣＣＨリソースの上記フォーマットが上記第１のフォーマットであると決定するように構成されることは、具体的には、
上記キャリアの数が第１の数より小さい又はこれと等しい場合に、上記報告されるべきＣＳＩに対応する上記ＰＵＣＣＨリソースの上記フォーマットが上記ＰＵＣＣＨフォーマット２であると決定すること、もしくは、
上記キャリアの数が上記第１の数より大きく、第２の数より小さい又はこれと等しい場合に、上記報告されるべきＣＳＩに対応する上記ＰＵＣＣＨリソースの上記フォーマットが上記ＰＵＣＣＨフォーマット３であると決定すること、もしくは、
上記キャリアの数が上記第２の数より大きい場合に、上記報告されるべきＣＳＩに対応する上記ＰＵＣＣＨリソースの上記フォーマットが上記ＰＵＣＣＨフォーマット４であると決定することである、又は、
上記プロセッサが、具体的には、上記報告されるべきＣＳＩのビット数に従って、上記報告されるべきＣＳＩに対応する上記ＰＵＣＣＨリソースの上記フォーマットが上記第１のフォーマットであると決定するように構成されることは、具体的には、
上記ビット数が第３の数より小さい又はこれと等しい場合に、上記報告されるべきＣＳＩに対応する上記ＰＵＣＣＨリソースの上記フォーマットが上記ＰＵＣＣＨフォーマット２であると決定すること、もしくは、
上記ビット数が上記第３の数より大きく、第４の数より小さい又はこれと等しい場合に、上記報告されるべきＣＳＩに対応する上記ＰＵＣＣＨリソースの上記フォーマットが上記ＰＵＣＣＨフォーマット３であると決定すること、もしくは、
上記ビット数が上記第４の数より大きい場合に、上記報告されるべきＣＳＩに対応する上記ＰＵＣＣＨリソースの上記フォーマットが上記ＰＵＣＣＨフォーマット４であると決定することである、
項目３９に記載のユーザ機器。
［項目４４］
上記プロセッサが、上記報告されるべきＣＳＩを第１のフォーマットの第１のＰＵＣＣＨリソースに追加し、上記送受信機を用いることによって、上記報告されるべきＣＳＩを報告するように構成されることは、具体的には、
上記報告されるべきＣＳＩが属する上記１つ又は複数のダウンリンクキャリアグループの各々に対応する少なくとも１つの上記第１のフォーマットのＰＵＣＣＨリソースから、上記第１のＰＵＣＣＨリソースを決定し、
上記報告されるべきＣＳＩを上記第１のＰＵＣＣＨリソースに追加し、上記送受信機を用いることによって、上記報告されるべきＣＳＩを報告することである、
項目３７から４３のいずれか１項に記載のユーザ機器。
［項目４５］
上記プロセッサが、具体的には、上記報告されるべきＣＳＩが属する上記１つ又は複数のダウンリンクキャリアグループの各々に対応する少なくとも１つの上記第１のフォーマットのＰＵＣＣＨリソースから、上記第１のＰＵＣＣＨリソースを決定するように構成されることは、具体的には、
ネットワークデバイスによって送信され、かつ、上記送受信機によって受信された情報に従って、上記少なくとも１つのＰＵＣＣＨリソースから、上記第１のＰＵＣＣＨリソースを決定すること、又は、
上記少なくとも１つのＰＵＣＣＨリソースから、最小番号のＰＵＣＣＨリソースを上記第１のＰＵＣＣＨリソースとして決定すること、又は、
上記少なくとも１つのＰＵＣＣＨリソースから、最大番号のＰＵＣＣＨリソースを上記第１のＰＵＣＣＨリソースとして決定すること、又は、
上記少なくとも１つのＰＵＣＣＨリソースに対応する少なくとも１つのキャリアから、最小番号のキャリアに対応するＰＵＣＣＨリソースを上記第１のＰＵＣＣＨリソースとして決定すること、又は、
上記少なくとも１つのＰＵＣＣＨリソースに対応する少なくとも１つのキャリアから、最大番号のキャリアに対応するＰＵＣＣＨリソースを上記第１のＰＵＣＣＨリソースとして決定することである、
項目４４に記載のユーザ機器。
［項目４６］
同じバスに接続されるメモリ、プロセッサ、及び受信機を備えるネットワークデバイスであって、
上記メモリは、命令を格納するように構成され、
上記プロセッサは、
アップリンクサブフレームにおいてユーザ機器によって報告されるべきチャネル状態情報ＣＳＩであって、上記ＣＳＩは、１つ又は複数のダウンリンクキャリアグループに対応し、少なくとも２つの物理アップリンク制御チャネルＰＵＣＣＨリソースが、１つのダウンリンクキャリアグループに対して構成され、上記少なくとも２つのＰＵＣＣＨリソースは、異なるフォーマットを有する、ＣＳＩを決定すべく、上記命令を実行し、
上記ＣＳＩに従って、上記ＣＳＩに対応するＰＵＣＣＨリソースのフォーマットが第１のフォーマットであると決定するように構成され、
上記受信機は、上記第１のフォーマットの第１のＰＵＣＣＨリソースにおいて保持される上記ＣＳＩを受信するように構成される、
ネットワークデバイス。
［項目４７］
上記少なくとも２つのＰＵＣＣＨリソースは、ＰＵＣＣＨフォーマット２に対応するＰＵＣＣＨリソース及びＰＵＣＣＨフォーマット３に対応するＰＵＣＣＨリソースを含む、又は、
上記少なくとも２つのＰＵＣＣＨリソースは、ＰＵＣＣＨフォーマット２に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット３に対応するＰＵＣＣＨリソース及びＰＵＣＣＨフォーマット４に対応するＰＵＣＣＨリソースを含む、又は、
上記少なくとも２つのＰＵＣＣＨリソースは、ＰＵＣＣＨフォーマット２に対応するＰＵＣＣＨリソース、ＰＵＣＣＨフォーマット３に対応するＰＵＣＣＨリソース、及びＰＵＣＣＨフォーマット４に対応するＰＵＣＣＨリソースを含む、
項目４６に記載のネットワークデバイス。
［項目４８］
上記プロセッサが、上記ＣＳＩに従って、上記ＣＳＩに対応するＰＵＣＣＨリソースのフォーマットが上記第１のフォーマットであると決定するように構成されることは、具体的には、
上記ＣＳＩに対応するキャリアの数に従って、上記ＣＳＩに対応する上記ＰＵＣＣＨリソースの上記フォーマットが上記第１のフォーマットであると決定する、又は、
上記ＣＳＩのビット数に従って、上記ＣＳＩに対応する上記ＰＵＣＣＨリソースの上記フォーマットが上記第１のフォーマットであると決定することである、
項目４７に記載のネットワークデバイス。
［項目４９］
上記少なくとも２つのＰＵＣＣＨリソースは、上記ＰＵＣＣＨフォーマット２に対応する上記ＰＵＣＣＨリソース及び上記ＰＵＣＣＨフォーマット３に対応する上記ＰＵＣＣＨリソースを含み、
上記プロセッサが、具体的には、上記ＣＳＩに対応するキャリアの数に従って、上記ＣＳＩに対応する上記ＰＵＣＣＨリソースの上記フォーマットが上記第１のフォーマットであると決定するように構成されることは、具体的には、
上記キャリアの数が第１の数より大きい場合に、上記ＣＳＩに対応する上記ＰＵＣＣＨリソースの上記フォーマットが上記ＰＵＣＣＨフォーマット３であると決定し、さもなければ、上記ＣＳＩに対応する上記ＰＵＣＣＨリソースの上記フォーマットが上記ＰＵＣＣＨフォーマット２であると決定することである、又は、
上記プロセッサが、具体的には、上記ＣＳＩのビット数に従って、上記ＣＳＩに対応する上記ＰＵＣＣＨリソースの上記フォーマットが上記第１のフォーマットであると決定するように構成されることは、具体的には、
上記ビット数が第３の数より大きい場合に、上記ＣＳＩに対応する上記ＰＵＣＣＨリソースの上記フォーマットが上記ＰＵＣＣＨフォーマット３であると決定し、さもなければ、上記ＣＳＩに対応する上記ＰＵＣＣＨリソースの上記フォーマットが上記ＰＵＣＣＨフォーマット２であると決定することである、
項目４８に記載のネットワークデバイス。
［項目５０］
上記少なくとも２つのＰＵＣＣＨリソースは、上記ＰＵＣＣＨフォーマット２に対応する上記ＰＵＣＣＨリソース及び上記ＰＵＣＣＨフォーマット４に対応する上記ＰＵＣＣＨリソースを含み、
上記プロセッサが、具体的には、上記ＣＳＩに対応するキャリアの数に従って、上記ＣＳＩに対応する上記ＰＵＣＣＨリソースの上記フォーマットが上記第１のフォーマットであると決定するように構成されることは、具体的には、
上記キャリアの数が第１の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット２であると決定することである、又は、
上記プロセッサが、具体的には、上記ＣＳＩのビット数に従って、上記ＣＳＩに対応する上記ＰＵＣＣＨリソースの上記フォーマットが上記第１のフォーマットであると決定するように構成されることは、具体的には、
上記ビット数が第３の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット２であると決定することである、
項目４８に記載のネットワークデバイス。
［項目５１］
上記少なくとも２つのＰＵＣＣＨリソースは、上記ＰＵＣＣＨフォーマット３に対応する上記ＰＵＣＣＨリソース及び上記ＰＵＣＣＨフォーマット４に対応する上記ＰＵＣＣＨリソースを含み、
上記プロセッサが、具体的には、上記ＣＳＩに対応するキャリアの数に従って、上記ＣＳＩに対応する上記ＰＵＣＣＨリソースの上記フォーマットが上記第１のフォーマットであると決定するように構成されることは、具体的には、
上記キャリアの数が第２の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット３であると決定することである、又は、
上記プロセッサが、具体的には、上記ＣＳＩのビット数に従って、上記ＣＳＩに対応する上記ＰＵＣＣＨリソースの上記フォーマットが上記第１のフォーマットであると決定するように構成されることは、具体的には、
上記ビット数が第４の数より大きい場合に、上記ＣＳＩに対応する上記ＰＵＣＣＨリソースの上記フォーマットが上記ＰＵＣＣＨフォーマット４であると決定し、さもなければ、上記ＣＳＩに対応する上記ＰＵＣＣＨリソースの上記フォーマットが上記ＰＵＣＣＨフォーマット３であると決定することである、
項目４８に記載のネットワークデバイス。
［項目５２］
上記少なくとも２つのＰＵＣＣＨリソースは、上記ＰＵＣＣＨフォーマット２に対応する上記ＰＵＣＣＨリソース、上記ＰＵＣＣＨフォーマット３に対応する上記ＰＵＣＣＨリソース、及び上記ＰＵＣＣＨフォーマット４に対応する上記ＰＵＣＣＨリソースを含み、
上記プロセッサが、具体的には、上記ＣＳＩに対応するキャリアの数に従って、上記ＣＳＩに対応する上記ＰＵＣＣＨリソースの上記フォーマットが上記第１のフォーマットであると決定するように構成されることは、具体的には、
上記キャリアの数が第１の数より小さい又はこれと等しい場合に、上記ＣＳＩに対応する上記ＰＵＣＣＨリソースの上記フォーマットが上記ＰＵＣＣＨフォーマット２であると決定すること、もしくは、
上記キャリアの数が上記第１の数より大きく、第２の数より小さい又はこれと等しい場合に、上記ＣＳＩに対応する上記ＰＵＣＣＨリソースの上記フォーマットが上記ＰＵＣＣＨフォーマット３であると決定すること、もしくは、
上記キャリアの数が上記第２の数より大きい場合に、上記ＣＳＩに対応する上記ＰＵＣＣＨリソースの上記フォーマットが上記ＰＵＣＣＨフォーマット４であると決定することである、又は、
上記プロセッサが、具体的には、上記ＣＳＩのビット数に従って、上記ＣＳＩに対応する上記ＰＵＣＣＨリソースの上記フォーマットが上記第１のフォーマットであると決定するように構成されることは、具体的には、
上記ビット数が第３の数より小さい又はこれと等しい場合に、上記ＣＳＩに対応する上記ＰＵＣＣＨリソースの上記フォーマットが上記ＰＵＣＣＨフォーマット２であると決定すること、もしくは、
上記ビット数が上記第３の数より大きく、第４の数より小さい又はこれと等しい場合に、上記ＣＳＩに対応する上記ＰＵＣＣＨリソースの上記フォーマットが上記ＰＵＣＣＨフォーマット３であると決定すること、もしくは、
上記ビット数が上記第４の数より大きい場合に、上記ＣＳＩに対応する上記ＰＵＣＣＨリソースの上記フォーマットが上記ＰＵＣＣＨフォーマット４であると決定することである、
項目４８に記載のネットワークデバイス。
［項目５３］
上記プロセッサは、
上記受信機が第１のフォーマットの第１のＰＵＣＣＨリソースにおいて保持される上記ＣＳＩを受信する前に、上記ＣＳＩが属する上記１つ又は複数のダウンリンクキャリアグループの各々に対応する少なくとも１つの上記第１のフォーマットのＰＵＣＣＨリソースから、上記第１のＰＵＣＣＨリソースを決定し、
上記第１のＰＵＣＣＨリソースを用いることによって、上記ＣＳＩを受信することを決定する
ようにさらに構成される、項目４６から５４に記載のネットワークデバイス。
［項目５４］
上記プロセッサが、具体的には、上記ＣＳＩが属する上記１つ又は複数のダウンリンクキャリアグループの各々に対応する少なくとも１つの上記第１のフォーマットのＰＵＣＣＨリソースから、上記第１のＰＵＣＣＨリソースを決定するように構成されることは、具体的には、
上記ネットワークデバイスによって送信された、受信された情報に従って、上記少なくとも１つのＰＵＣＣＨリソースから、上記第１のＰＵＣＣＨリソースを決定すること、又は、
上記少なくとも１つのＰＵＣＣＨリソースから、最小番号のＰＵＣＣＨリソースを上記第１のＰＵＣＣＨリソースとして決定すること、又は、
上記少なくとも１つのＰＵＣＣＨリソースから、最大番号のＰＵＣＣＨリソースを上記第１のＰＵＣＣＨリソースとして決定すること、又は、
上記少なくとも１つのＰＵＣＣＨリソースに対応する少なくとも１つのキャリアから、最小番号のキャリアに対応するＰＵＣＣＨリソースを上記第１のＰＵＣＣＨリソースとして決定すること、又は、
上記少なくとも１つのＰＵＣＣＨリソースに対応する少なくとも１つのキャリアから、最大番号のキャリアに対応するＰＵＣＣＨリソースを上記第１のＰＵＣＣＨリソースとして決定することである、
項目５３に記載のネットワークデバイス。
【図１】
0006717529.tif 000002
【図２】
0006717529.tif 000003
【図３】
0006717529.tif 000004
【図４】
0006717529.tif 000005
【図５】
0006717529.tif 000006
【図６】
0006717529.tif 000007